(57)【要約】【課題】  組織を骨に固定するための方法及びシステムを提供すること。【解決手段】  本外科用システムは、ドライバ装置と、ドライバ装置内に受容可能であり、かつその遠位端に拡張器機構を有する細長いシャフトと、シャフトを通じて延びる捕捉縫合糸と、を含むことができ、これにより、捕捉縫合糸の終端部分はドライバ上のより近位の位置まで延び、捕捉縫合糸はシャフトの側面を通って形成された開口部を通じて延びるループを形成するようになる。ループは、ループを通じて少なくとも１本の保持縫合糸を受容するように構成されており、捕捉縫合糸の終端を引っ張ることにより締め付けることができ、それにより捕捉縫合糸を縫合糸アンカーと連結する。シャフトが骨内に挿入され、捕捉縫合糸が通されたループが閉じられた後、縫合糸アンカーが拡張器機構に向かって遠位に、かつ骨内に打ち込まれて、捕捉縫合糸が骨内に固定される。【選択図】  図１
2018149292.tif 000002
【特許請求の範囲】
【請求項１】
外科用システムであって、
近位ハンドルと、前記近位ハンドルから延びるドライバシャフトとを有するドライバ装置であって、前記ドライバシャフトが、遠位ドライバ部材と、前記ドライバシャフトを通じて延びる管腔とを有する、ドライバ装置と、
中心シャフト部分と、遠位シャフト部分とを有する細長いシャフトであって、前記細長いシャフトは、遠位端及び前記中心シャフト部分の少なくとも一部が前記遠位ドライバ部材から遠位に延びるように前記ドライバ装置の前記管腔内に受容可能であり、前記中心シャフト部分が、前記中心シャフト部分の前記遠位端から前記中心シャフト部分を通じて延び、かつ前記中心シャフト部分の側面を通じて延びる開口部と連通する縫合糸保持機構を有する、細長いシャフトと、
前記縫合糸保持機構及び前記開口部を通じて延びる捕捉縫合糸であって、これにより、前記捕捉縫合糸の終端部分が前記ドライバ装置から延び、前記捕捉縫合糸が前記開口部を通じて延びるループを形成するようになる、捕捉縫合糸と、
雄ねじが上に形成された縫合糸アンカーであって、前記遠位ドライバ部材上に取り外し可能に取り付け可能である、縫合糸アンカーと、
前記縫合糸アンカーの遠位に配設され、かつ前記遠位シャフト部分が内部を通じて少なくとも部分的に延びる拡張器機構であって、これにより、前記細長いシャフトの遠位端が前記拡張器機構から遠位に延びるようになる、拡張器機構と、を備える、外科用システム。
【請求項２】
前記ループが、前記ループを通じて少なくとも１本の保持縫合糸を受容するように構成されており、前記保持縫合糸が内部を通じて受容された前記ループが、前記捕捉縫合糸の前記終端部分を引っ張ることによって締め付けられるように構成されており、それにより前記保持縫合糸を前記縫合糸アンカーと連結する、請求項１に記載のシステム。
【請求項３】
前記捕捉縫合糸の前記終端部分が、前記ドライバ装置の近位端から延びる、請求項１に記載のシステム。
【請求項４】
前記捕捉縫合糸の前記終端部分が、前記ドライバ装置の近位端から延びる、請求項１に記載のシステム。
【請求項５】
前記縫合糸保持機構が溝を備える、請求項１に記載のシステム。
【請求項６】
前記遠位ドライバ部材が、前記縫合糸アンカーの対応する雌機構内に受容されるように構成された雄機構である、請求項１に記載のシステム。
【請求項７】
前記中心シャフト部分が前記遠位シャフト部分の外径よりも大きい外径を有する、請求項１に記載のシステム。
【請求項８】
前記拡張器機構が非金属材料で作製されている、請求項１に記載のシステム。
【請求項９】
前記中心シャフト部分の近位端に配設されるように構成されており、かつ前記捕捉縫合糸の前記終端部分と係合するように構成された少なくとも１つの保持機構を有する近位端機構を更に備える、請求項１に記載のシステム。
【請求項１０】
前記少なくとも１つの保持機構が、前記捕捉縫合糸の前記終端部分と係合して、前記捕捉縫合糸に張力をかけるように構成されている、請求項９に記載のシステム。
【請求項１１】
外科用システムであって、
細長いシャフトであって、
中心シャフト部分であって、前記中心シャフト部分の遠位肩部の近位に、前記中心シャフト部分を通じて延びる縫合糸保持機構を有し、前記縫合糸保持機構が、前記中心シャフト部分の前記遠位肩部の近位の前記中心シャフト部分の側面を通じて延びる開口部と連通する、中心シャフト部分と、
前記中心シャフト部分の前記遠位肩部から前記細長いシャフトの遠位端まで延びる遠位シャフト部分と、を有する、細長いシャフトと、
前記中心シャフト部分の前記縫合糸保持機構及び前記開口部を通じて延びる捕捉縫合糸であって、これにより、前記捕捉縫合糸の終端部分がドライバ装置の近位端から延び、前記捕捉縫合糸が前記開口部を通じて延びるループを形成するようになる、捕捉縫合糸と、
前記細長いシャフトが内部を通じて延びるドライバ装置の遠位ドライバ部材上に取り外し可能に配設された縫合糸アンカーと、
前記縫合糸アンカーの遠位の前記遠位シャフト部分上に取り外し可能に配設された埋め込み型拡張器機構であって、これにより、前記細長いシャフトの前記遠位端が前記拡張器機構の遠位端から遠位に延びるようになる、埋め込み型拡張器機構と、を備える、外科用システム。
【請求項１２】
前記拡張器機構が切頭円錐の形状を有する、請求項１１に記載の外科用システム。
【請求項１３】
前記中心シャフト部分が前記遠位シャフト部分の外径よりも大きい外径を有する、請求項１１に記載の外科用システム。
【発明の詳細な説明】
【技術分野】
【０００１】
本開示は、一般的には縫合糸を組織に固定するための方法及び装置に関し、詳細には軟組織に通された縫合糸を固定することに関する。
【背景技術】
【０００２】
体内で靱帯、腱、及び／又は他の軟組織がそれらが付属する骨から断裂、又は完全若しくは部分剥離することは、特にスポーツ選手の間ではありふれた傷害である。こうした傷害は一般に、これらの組織に過度のストレスがかかる結果として生じる。例として、組織の断裂又は剥離は、業務に関連した作業中、又は競技大会において、転倒、過度の使用といった事故の結果として生じ得る。骨からの軟組織の断裂又は部分若しくは完全剥離の場合、軟組織（又はグラフト組織）を骨に再付着させるための手術が通常必要となる。
【０００３】
軟組織を骨に固定するために多くの装置が使用されてきた。かかる装置の例としては、ねじ、鋲、ステープル、縫合糸アンカー、及び縫合糸単独などが挙げられる。縫合糸アンカーを用いた軟組織の修復又は再付着手術では、アンカー受容穴が所望の固定点又は組織再付着点にドリルで穿孔され、適切な設置器具を使用して穴の中に縫合糸アンカーが展開される。縫合糸はアンカーに連結されて軟組織の内部又は周囲に通されることで骨に効果的にロックされ、これにより軟組織を骨に固定する。
【０００４】
縫合糸係留手術では、縫合糸アンカーをアンカー受容穴の中に展開することは困難を伴い得る。更に、既存の縫合糸アンカー及びアンカーを骨内に挿入するために使用されるインサータ装置は、その使用を困難にし、特定の望ましくない制約をもたらす特定の難点を有し得る。また、縫合糸を結び目に結ぶことが求められる手術は、時間がかかり、本来的な空間的制約のために煩雑であり、これにより手術を困難なものとする。
【発明の概要】
【発明が解決しようとする課題】
【０００５】
したがって、骨に組織を付着させるための改善された方法及びシステムが求められている。
【課題を解決するための手段】
【０００６】
一態様では、いくつかの実施形態では、ドライバ装置、中心シャフト部分及び遠位シャフト部分を有する細長いシャフト、捕捉縫合糸、縫合糸アンカー、並びに縫合糸アンカーの遠位に配設された拡張器機構を含む外科用システムが提供される。ドライバ装置は、近位ハンドルと、近位ハンドルから延びるドライバシャフトであって、遠位ドライバ部材と、ドライバシャフトを通じて延びる管腔とを有する、ドライバシャフトとを有する。細長いシャフトは中心シャフト部分と遠位シャフト部分とを有し、細長いシャフトは、遠位端及び中心シャフト部分の少なくとも一部が遠位ドライバ部材から遠位に延びるようにドライバ装置の管腔内に受容可能であり、中心シャフト部分は、中心シャフト部分の遠位端から中心シャフト部分を通じて延び、かつ中心シャフト部分の側面を通じて延びる開口部と連通する縫合糸保持機構を有する。捕捉縫合糸は、縫合糸保持機構及び開口部を通じて延びており、これにより、捕捉縫合糸の終端部分がドライバ装置から延び、捕捉縫合糸が開口部を通じて延びるループを形成するようになる。縫合糸アンカーは雄ねじが上に形成されており、縫合糸アンカーは遠位ドライバ部材上に取り外し可能に取り付け可能である。拡張器機構は縫合糸アンカーの遠位に配設され、遠位シャフト部分が拡張器機構を少なくとも部分的に通じて延びており、細長いシャフトの遠位端が拡張器機構から遠位に延びる。
【０００７】
本外科用システムは、多くの異なる形で異なり得る。例えば、捕捉縫合糸のループは少なくとも１本の保持縫合糸が通されるように構成されてもよく、保持縫合糸が通されたループは、捕捉縫合糸の終端部分を引っ張ることによって締め付けられるように構成されてもよく、それにより保持縫合糸を縫合糸アンカーと連結する。別の例では、捕捉縫合糸の終端部分はドライバ装置の近位端から延びることができる。別の例では、捕捉縫合糸の終端部分はドライバ装置の近位端から延びることができる。
【０００８】
少なくともいくつかの実施形態では、縫合糸保持機構は溝であってもよい。少なくともいくつかの実施形態では、遠位ドライバ部材は、縫合糸アンカーの対応する雌機構内に受容されるように構成された雄機構であってもよい。少なくともいくつかの実施形態では、細長いシャフトの中心シャフト部分は、細長いシャフトの遠位シャフト部分の外径よりも大きい外径を有する。
【０００９】
少なくともいくつかの実施形態では、拡張器機構は、非金属材料で作製されていてもよい。少なくともいくつかの実施形態では、システムは、中心シャフト部分の近位端に配設されるように構成されており、かつ捕捉縫合糸の終端部分と係合するように構成された少なくとも１つの保持機構を有する近位端機構近位端機構を更に含む。少なくとも１つの保持機構は、捕捉縫合糸の終端部分と係合して、捕捉縫合糸に張力をかけるように構成され得る。
【００１０】
別の態様では、外科的修復を行う方法であって、いくつかの実施形態では、細長いシャフトの遠位端を骨内に挿入することであって、前記シャフトが、埋め込み型拡張器機構と、拡張器機構の近位に位置付けられた、縫合糸アンカーが着脱可能に連結されたドライバ装置の遠位ドライバ部材とを通じて延び、細長いシャフトが、細長いシャフトを通じて形成された縫合糸保持機構を通じて延び、かつ細長いシャフトの側面を通じて延びる開口部で出る捕捉縫合糸を有し、これにより、捕捉縫合糸が開口部を通じて延びるループを形成するようになる、挿入することを含む、方法が提供される。本方法は、組織に連結された保持縫合糸をループに通すことと、ループが保持縫合糸を細長いシャフトの側壁に対して保持するように、捕捉縫合糸の終端部分に張力を加えることによって保持縫合糸が内部に通されたループを閉じることと、縫合糸アンカーを拡張器機構に向かって遠位に、かつ骨内に打ち込み、それにより、保持縫合糸を骨と縫合糸アンカーの外側表面との間に固定することと、を更に含む。
【００１１】
本方法は、多くの異なる形で異なり得る。例えば、捕捉縫合糸は、捕捉縫合糸の終端部分が細長いシャフトの近位端に隣接するようにループを形成することができる。別の例として、本方法は、細長いシャフトの遠位端を骨内に挿入する前にループを閉じることを更に含むことができる。別の例として、本方法は、細長いシャフトの遠位端が骨内に挿入されている間に、捕捉縫合糸の終端部分に張力をかけることを更に含むことができる。更に別の例として、本方法は、縫合糸アンカーが骨内に打ち込まれた後に捕捉縫合糸を取り除くことを更に含むことができる。少なくともいくつかの実施形態では、本方法は、縫合糸アンカーに取り外し可能に連結されたドライバ装置を使用して、縫合糸アンカーを拡張器機構に向かって遠位に、かつ骨内に打ち込むことを更に含む。
【００１２】
別の態様では、いくつかの実施形態では、中心シャフト部分と遠位シャフト部分とを有する細長いシャフト、捕捉縫合糸、及び埋め込み型拡張器を含む外科用システムが提供される。中心シャフト部分は、中心シャフト部分の遠位肩部の近位に、中心シャフト部分を通じて延びる縫合糸保持機構を有し、縫合糸保持機構は、中心シャフト部分の遠位肩部の近位において中心シャフト部分の側面を通じて延びる開口部と連通する。遠位シャフト部分は、中心シャフト部分の遠位肩部から細長いシャフトの遠位端まで延びる。捕捉縫合糸は、中心シャフト部分の縫合糸保持機構及び前記開口部を通じて延びており、これにより、捕捉縫合糸の終端部分がドライバ装置の近位端から延び、捕捉縫合糸が開口部を通じて延びるループを形成するようになる。縫合糸アンカーは、細長いシャフトが内部を通じて延びるドライバ装置の遠位ドライバ部材上に取り外し可能に配設される。埋め込み型拡張器機構は、縫合糸アンカーの遠位の遠位シャフト部分上に取り外し可能に配設され、これにより、細長いシャフトの遠位端が拡張器機構の遠位端から遠位に延びるようになる。
【００１３】
本外科用システムは、多くの異なる形で異なり得る。例えば、拡張器機構は切頭円錐の形状を有することができる。別の例として、細長いシャフトの中心シャフト部分は、細長いシャフトの遠位シャフト部分の外径よりも大きい外径を有することができる。
【図面の簡単な説明】
【００１４】
本開示は、以下の詳細な説明を添付図面と併せ読むことでより深く理解が得られるであろう。
【図１】外科用システムの一実施形態の斜視図である。
【図２】図１の外科用システムのドライバ装置の斜視図である。
【図３】図１の外科用システムのドライバ装置の遠位部分及び縫合糸アンカーの斜視図である。
【図４】図１の外科用システムの細長いシャフトの一部及びカニューレ状の拡張器機構の斜視図である。
【図５】図１の外科用システムの遠位部分の斜視図である。
【図６】図５に示される外科用システムの遠位部分の断面図である。
【図７】図１の外科用システムの断面図である。
【図８Ａ】骨の近くの外科用システムを示し、更に捕捉縫合糸によって形成されるループに通された保持縫合糸を示す、図１の外科用システムを示す。
【図８Ｂ】骨に穴を最初に開けている細長いシャフトの遠位端を示す、図８Ａの外科用システムを示す。
【図８Ｃ】遠位に骨内に打ち込まれる細長いシャフトの遠位端を示す、図８Ｂの外科用システムを示す。
【図８Ｄ】骨の近くの縫合糸アンカーを示す、図８Ｃの外科用システムを示す。
【図８Ｅ】回転されるドライバ装置を示す、図８Ｄの外科用システムを示す。
【図８Ｆ】骨内に打ち込まれる縫合糸アンカーを示す、図８Ｅの外科用システムを示す。
【図８Ｇ】取り除かれつつあるドライバ装置及び細長いシャフトを示す、図８Ｆの外科用システムを示す。
【図８Ｈ】固定された保持縫合糸を示す、図８Ｇの外科用システムを示す。
【図９Ａ】取り除かれつつある捕捉縫合糸を示す、図８Ｈの外科用システムを示す。
【図９Ｂ】切断された保持縫合糸を示す、図９Ａの外科用システムを示す。
【図１０】外科用システムの別の実施形態の斜視図である。
【図１１】図１０の外科用システムの遠位部分の斜視図である。
【図１２】図１０の外科用システムの一部の部分断面斜視図である。
【図１３】図１０の外科用システムの一部の部分断面斜視図である。
【図１４】連結された縫合糸を示す、図１３の外科用システムの部分の部分断面斜視図である。
【図１５Ａ】骨の近くの外科用システムを示す、図１０の外科用システムを示す。
【図１５Ｂ】連結された縫合糸を示す、図１５Ａの外科用システムを示す。
【図１５Ｃ】骨に穴を最初に開けている細長いシャフトの遠位端を示す、図１５Ｂの外科用システムを示す。
【図１５Ｄ】遠位に骨内に打ち込まれる細長いシャフトの遠位端を示す、図１５Ｃの外科用システムを示す。
【図１５Ｅ】骨の近くの縫合糸アンカーを示す、図１５Ｄの外科用システムを示す。
【図１５Ｆ】回転されるドライバ装置を示す、図１５Ｅの外科用システムを示す。
【図１５Ｇ】骨内に打ち込まれる縫合糸アンカーを示す、図１５Ｆの外科用システムを示す。
【図１５Ｈ】取り除かれつつあるドライバ装置及び細長いシャフトを示す、図１５Ｇの外科用システムを示す。
【図１５Ｉ】固定された縫合糸を示す、図１５Ｈの外科用システムを示す。
【図１６】外科用システムの別の実施形態の斜視図である。
【図１７Ａ】後退構成にある細長いシャフトを示す、図１６の外科用システムの断面図である。
【図１７Ｂ】前進構成にある細長いシャフトを示す、図１７Ａの外科用システムの断面図である。
【図１８Ａ】後退構成にある細長いシャフト、及び外科用システムに連結された縫合糸を示す、図１６の外科用システムの断面図である。
【図１８Ｂ】前進構成にある細長いシャフト、及び外科用システムに連結された縫合糸を示す、図１８Ａの外科用システムの断面図である。
【図１９】骨の近くの外科用システム、及び前進構成にある細長いシャフトを示す、図１６の外科用システムを示す。
【図２０Ａ】連結された縫合糸を示す、図１９の外科用システムを示す。
【図２０Ｂ】骨に穴を最初に開けている細長いシャフトの遠位端を示す、図２０Ａの外科用システムを示す。
【図２０Ｃ】遠位に骨内に打ち込まれる細長いシャフトの遠位端を示す、図２０Ｂの外科用システムを示す。
【図２０Ｄ】後退構成にある細長いシャフトを示す、図２０Ｃの外科用システムを示す。
【図２０Ｅ】骨の近くの縫合糸アンカーを示す、図２０Ｄの外科用システムを示す。
【図２０Ｆ】回転されるドライバ装置を示す、図２０Ｅの外科用システムを示す。
【図２０Ｇ】骨内に打ち込まれる縫合糸アンカーを示す、図２０Ｆの外科用システムを示す。
【図２０Ｈ】取り除かれつつあるドライバ及びプッシャ装置を示す、図２０Ｇの外科用システムを示す。
【図２０Ｉ】固定された保持縫合糸を示す、図２０Ｈの外科用システムを示す。
【発明を実施するための形態】
【００１５】
以下に、本明細書で開示する装置及び方法の構造、機能、製造、及び使用の原理の全体的な理解が得られるように、特定の例示的な実施形態を説明する。これらの実施形態の１つ又は２つ以上の実施例が、添付の図面に示されている。当業者であれば、本明細書で具体的に説明され、かつ添付の図面に例示される装置及び方法が、非限定的な例示的実施形態であること、並びに本発明の範囲は特許請求の範囲によってのみ定義されることを理解するであろう。１つの例示的な実施形態に関連して例示又は説明される特徴は、他の実施形態の特徴と組み合わせることができる。このような修正及び変形は、本発明の範囲内に含まれるものとする。
【００１６】
組織を骨に固定するための様々な方法及び装置が提供される。一般的に、本方法及び装置は、骨に対する組織の固定を容易にし得るものである。いくつかの実施形態では、組織を骨に付着させるための外科用システムは、ドライバ装置、中心シャフト部分と遠位シャフト部分とを有する細長いシャフト、捕捉縫合糸、及び縫合糸アンカーを含む。外科用システムは、埋め込み型であり得る拡張器機構も含む。縫合糸アンカー及び拡張器機構は、カニューレ状であってもよい。
【００１７】
ドライバ装置は、近位ハンドルとハンドルから延びるドライバシャフトとを有する。ドライバシャフトは、遠位ドライバ部材の近位の肩部と、ドライバシャフトを通じて延びる管腔とを有することができる。細長いシャフトは、遠位端及び中心シャフト部分の少なくとも一部が遠位ドライバ部材から遠位に延びるようにドライバ装置内に受容可能である。
【００１８】
細長いシャフトの中心シャフト部分は、中心シャフト部分の遠位端から中心シャフト部分を通じて延び、中心シャフト部分の側面を通じて延びる開口部と連通する縫合糸保持機構を有することができる。いくつかの実施形態では、縫合糸保持機構は、中心シャフト部分の遠位肩部の近位に位置する中心シャフト部分内の終端点まで延びる。縫合糸保持機構は、例えば、溝、通路、管腔、又は他の好適な機構であってもよい。中心シャフト部分の遠位肩部から延びる細長いシャフトの遠位シャフト部分は、細長いシャフトの中心シャフト部分の外径よりも小さい外径を有することができる。遠位シャフト部分の遠位端は、骨に穴を最初に開けるように構成される。
【００１９】
捕捉縫合糸は、細長いシャフトの中心シャフト部分の縫合糸保持機構及び細長いシャフトの開口部を通じて延びており、これにより、捕捉縫合糸の終端部分がドライバ装置に沿ってより近位の位置から延びるようになる。例えば、いくつかの実施形態では、捕捉縫合糸の終端部分はドライバ装置の近位端から延びる。捕捉縫合糸は、細長いシャフトの中心シャフト部分の開口部を通じて延びるループを形成する。捕捉縫合糸によって形成されるループは、少なくとも１本の保持縫合糸が通されるように構成されており、更に捕捉縫合糸は捕捉縫合糸の終端部分を引っ張ることにより締め付けられるか又は閉じられるように構成される。捕捉縫合糸ループのサイズは、それを通して複数の保持縫合糸を受容することができ、これにより、骨に対する組織の付着強度を高めることができる。
【００２０】
１つ又は２つ以上の雄ねじが上に形成され得る縫合糸アンカーは、ドライバ装置の遠位ドライバ部材上に取り外し可能に取り付け可能である。
【００２１】
骨に軟組織を付着又は再付着させるための外科的修復を行うための方法も提供される。この方法は、細長いシャフトの遠位端を骨内に挿入することにより骨に穴を形成することを含む。細長いシャフトは、穴を拡張するように構成された埋め込み型拡張器機構を通じ、更に拡張器機構の近位でドライバ装置に装填された縫合糸アンカーを通じて延びることができる。細長いシャフトは、細長いシャフトを通じて形成された縫合糸保持機構を通じて延び、細長いシャフトの側面を通じて延びる、拡張器機構の近位に配設された開口部で出る捕捉縫合糸を有する。捕捉縫合糸は細長いシャフトの開口部を通じて延びるループを形成し、また、捕捉縫合糸の終端部分は近位に延び、例えば終端部分はドライバ装置の近位端から延びることができる。本方法はまた、組織に連結された保持縫合糸を前記ループに通すことと、ループが保持縫合糸を細長いシャフトの側壁に対して保持するように、捕捉縫合糸の終端に張力を加えことによってループを閉じることと、縫合糸アンカーを拡張器機構に向かって遠位に、かつ骨内に打ち込み、それにより、保持縫合糸を骨と縫合糸アンカーの外側表面との間に固定することと、を更に含む。
【００２２】
図１〜図８Ｈは、細長いシャフト１０２、内部を通じて細長いシャフト１０２を受容するドライバ又はドライバ装置１０４、下記に述べるようにループ１０８を形成する捕捉縫合糸１０６、及び縫合糸アンカー１１０を含む外科用システム１００の一実施形態を示している。システム１００は、埋め込み型であり得る拡張器機構１１２も含む。
【００２３】
システム１００の構成要素は、様々な構成を有することができる。図２及び図３に示されるように、縫合糸アンカー１１０を骨に打ち込むように構成されたドライバ装置１０４は、近位ハンドル１１４、及び近位ハンドル１１４から延びるドライバシャフト１１６を有している。ドライバシャフト１１６は、様々な方法でハンドル１１４に連結されてもよく、ハンドル１１４を通じて延びることができる。図３に示されるように、ドライバシャフト１１６は、遠位ドライバ部材１２０の近位側の肩部１１８、及びドライバシャフト１１６を通じて延びる管腔１２２を有している。ドライバシャフト１１６は、特定の外科手術に適した寸法を有することができる。例えばドライバシャフトは、約１ｍｍ〜約２０ｍｍの範囲の直径、及び約１０ｍｍ〜約０．５ｍの範囲の長さを有することができる。同様に、ドライバ部材１２０は特定の外科手術に適した寸法を有することができる。例えば、遠位ドライバ部材１２０は、約０．５ｍｍ〜約１５ｍｍの範囲の直径、及び約２ｍｍ〜約５０ｍｍの範囲の長さを有することができる。
【００２４】
ドライバ装置１０４の近位ハンドル１１４は、様々な構成を有することができる。図の実施形態では、管腔１２２は、ドライバ装置１０４のドライバシャフト１１６を通じ、更に近位ハンドル１１４の長さを通じて延びている。他の実施形態では、ドライバシャフト１１６は好適な様式で近位ハンドル１１４に連結されてもよく、近位ハンドル１１４を通じて延びる管腔をドライバシャフト１１６を通じて延びる管腔と連通させることができる。
【００２５】
ドライバ装置１０４の近位ハンドル１１４は、ドライバ装置１０４の使用時のグリップ性を高める表面特徴を有するように構成され得る。例えば、図１及び２に示されるように、近位ハンドル１１４は、その長さに沿って形成された溝１１５を有することができる。しかしながら、述べられる実施形態はこの点に関して限定されておらず、近位ハンドル１１４が任意の好適な特徴を有し得ることを理解されたい。ハンドル１１４の寸法及び構成は、外科手術中に掴みやすく、効果的であるようなものであり得る。
【００２６】
縫合糸アンカー１１０は、様々な構成を有することができる。図の実施形態では、縫合糸アンカー１１０は、縫合糸アンカー１１０を骨と係合するように構成された雄ねじ１１１が上に形成されている。縫合糸アンカー１１０は、任意の好適な構成を有することができ、他の骨係合機構を有することができる。縫合糸アンカー１１０は、それを通じて延びる管腔１２４を有することができ、管腔１２４の少なくとも一部の中にドライバ装置１０４のドライバシャフト１１６の遠位ドライバ部材１２０を受容することができる。ドライバシャフト１１６の管腔１２２は、それを通じて細長いシャフト１０２を受容する。図６に示されるような組み立てられた構成では、ドライバ部材１２０は縫合糸アンカー１１０を通じて延びており、遠位ドライバ部材１２０の遠位端１２０ｄ（ドライバシャフト１１６の遠位端でもある）は縫合糸アンカー１１０の遠位端１１０ｄの近位に配設されている。しかしながら、他の実施形態では、遠位ドライバ部材１２０の遠位端１２０ｄは、縫合糸アンカー１１０の遠位端１１０ｄと整列するか、又はこれを越えて延びてもよい。図１及び図５〜図７に示されるような組み立てられた構成では、縫合糸アンカー１１０は、ドライバ装置１０４のドライバシャフト１１６に取り付けられており、縫合糸アンカー１１０は拡張器機構１１２の近位に拡張器機構１１２から間隔を置いて位置している。
【００２７】
縫合糸アンカー１１０の寸法は、特定の外科手術の要求条件に応じて異なり得る。例えば、縫合糸アンカーは、約１．５ｍｍ〜約１５ｍｍの範囲の直径、及び約５ｍｍ〜約４０ｍｍの範囲の長さを有することができる。縫合糸アンカー１１０は、任意の好適な材料で作製されていてもよい。例えば、縫合糸アンカー１１０は、ポリマーで作製されていてもよく、その例としては、ポリエーテルエーテルケトン（ＰＥＥＫ）、ポリ乳酸（ＰＬＡ）、ポリ（Ｌ−乳酸）（ＰＬＬＡ）などが挙げられる。更にポリマーは、放射線透過性及び／又は生体吸収性又は生体分解性であってもよい。
【００２８】
遠位ドライバ部材１２０は、縫合糸アンカー１１０と着脱可能に嵌合し、嵌合した縫合糸アンカー１１０を下記により詳細に述べるように骨内に遠位に打ち込むように構成されている。いくつかの実施形態では、本明細書に例示されるように、遠位ドライバ部材１２０は、縫合糸アンカー１１０の対応する雌ドライバ機構内に受容されるように構成された雄機構の形態であってもよい。図の実施形態では、図３に示されるように、雄機構は六角形状であり、縫合糸アンカー１１０の対応する雌ドライバ機構は、縫合糸アンカー１１０の管腔１２４の少なくとも一部内に形成された対応する六角形状の雌ドライバ機構であってもよい。
【００２９】
図の実施形態では、図４に示されるように、細長いシャフト１０２は、中心シャフト部分１２６、及び中心シャフト部分１２６の遠位肩部１２７から遠位に延び、細長いシャフト１０２の遠位端１０２で終端する遠位シャフト部分１２８を有している。他の実施形態では、遠位肩部１２７は形成されなくてもよいことを理解されたい。やはり図４に示されるように、遠位シャフト部分１２８は、この例では遠位にテーパ状の遠位錐状先端部分１３０を有することができる。
【００３０】
中心シャフト部分１２６及び遠位シャフト部分１２８の寸法は、特定の外科手術の要求条件に応じて異なり得る。図の実施形態では、細長いシャフト１０２の中心シャフト部分１２６は、細長いシャフト１０２の遠位シャフト部分１２８の外径よりも大きい外径を有することができる。例えば、少なくともいくつかの実施形態では、中心シャフト部分１２６は、約１０ｍｍ〜約３００ｍｍの範囲の長さ、及び約１ｍｍ〜約１５ｍｍの範囲の外径を有することができる。別の例として、少なくともいくつかの実施形態では、遠位シャフト部分１２８は、約１ｍｍ〜約５０ｍｍの範囲の長さ、及び約０．５ｍｍ〜約２０ｍｍの範囲の外径を有することができる。
【００３１】
細長いシャフト１０２は、遠位端１０２ｄで終端する遠位シャフト部分１２８及び細長いシャフト１０２の中心シャフト部分１２６の少なくとも一部が遠位ドライバ部材１２０から遠位に延びるようにしてドライバ装置１０４内に受容され得る。図の実施形態では、細長いシャフト１０２は、骨内に挿入されて穴を最初に開けるように構成されている。したがって、他の器具を使用して骨に穴を最初に開ける必要がない。
【００３２】
図の実施形態では、細長いシャフト１０２の中心シャフト部分１２６は、捕捉縫合糸を定置するように構成された、細長いシャフト１０２を通じて延びる縫合糸保持機構１３２を有している。図４に示されるように、縫合糸保持機構１３２は、細長いシャフト１０２の中心シャフト部分１２６の側面を通じて延びる開口部１３６から延びることができる。縫合糸保持機構１３２は、中心シャフト部分１２６内に形成された開口部１３６の近位に位置する中心シャフト部分１３６内の終端点まで延びることができる。
【００３３】
縫合糸保持機構１３２は、任意の好適な構成を有してもよく、捕捉縫合糸１０６を定置するように細長いシャフト１０２内に任意の好適な形で形成することができる。図の実施形態では、図４〜図６に示されるように、縫合糸保持機構１３２は、細長いシャフト１０２の長手方向軸Ｌに沿って又は長手方向軸Ｌに平行に形成された溝の形態であってもよい。溝は、中心シャフト部分１２６の外側表面内に形成されてもよい。しかしながら、他の実施形態では、縫合糸保持機構１３２は、管腔又は他の機構であってもよい。
【００３４】
図の実施形態では、外科用システム１００は縫合糸アンカー１１０の遠位に位置する拡張器機構１１２を有している。細長いシャフト１０２の遠位シャフト部分１２８は拡張器機構１１２を通じて延びるように構成されており（図４では別々に示されている）、細長いシャフト１０２の遠位端１０２ｄが拡張器機構１１２の遠位端１１２ｄから遠位に延びるようになっている。拡張器機構１１２は、細長いシャフト１０２の遠位端１０２ｄによって最初に形成された骨内の穴の寸法を大きくすることにより、骨内への細長いシャフト１０２の挿入を促すように構成されている。この例では、拡張器機構１１２は遠位にテーパ状であり、切頭円錐の形態であるが、他の構成を有することもできる。拡張器機構１１２は、細長いシャフト１０２上に圧入するか又は他の形でそれと連結されてもよい（例えば、ねじ接続を介して、又は他の好適な嵌合機構を介して）。拡張器機構１１２は、図の例のように表面特徴を有さなくてもよい。しかしながら、いくつかの実施形態では、拡張器機構１１２は、骨との係合を促す１つ又は２つ以上の表面特徴を有することができる。拡張器機構１１２は、任意の好適な寸法を有することができる。例えば、少なくともいくつかの実施形態では、拡張器機構１１２は、約１２ｍｍ以下の外径、及び約１５ｍｍ以下の長さを有することができる。
【００３５】
いくつかの実施形態では、拡張器機構１１２は、埋め込み型であってもよく、非金属材料で作製されていてもよい。これは、拡張器機構１１２の性質が、システム１００のイメージングと干渉しないようなものとなることから有用であり得る。更に、拡張器機構１１２は骨の穴の形成を助けるうえで充分な固さを有する一方で生体吸収性及び／又は生体分解性であり得る。しかしながら、他の実施形態では、拡張器機構１１２は、金属で作製されていてもよい。
【００３６】
図の実施形態では、軟組織（例えば、断裂靱帯、グラフ外側表面組織など）を、１つ又は２つ以上の保持縫合糸及び縫合糸アンカーを使用して付属する骨に付着させることができる。保持縫合糸は、下記により詳細に述べるように外科用システムに連結された捕捉縫合糸によって細長いシャフトの中心シャフト部分に連結され得る。
【００３７】
図１及び図７に示されるように、外科用システム１００に含まれる捕捉縫合糸１０６は、細長いシャフト１０２の中心シャフト部分１２６の縫合糸保持機構１３２に沿って延び、開口部１３６から出ており、捕捉縫合糸１２６の終端部分１３８ａ、１３８ｂが、ドライバ装置１０４内のより近位側の点まで延びている。捕捉縫合糸１０６は開口部１３６を通じて延びるループ１０８を形成する。捕捉縫合糸１０６は、細長いシャフト１０２の縫合糸保持機構１３２に沿って、縫合糸保持機構１３２の近位端から開口部１３６に向かい、再び開口部１３６から縫合糸保持機構１３２の近位端に向かって定置されている。下記により詳細に述べるように、ループ１０８は少なくとも１本の保持縫合糸が通されるように構成される。ループ１０８のサイズは、特定の外科手術に応じて異なり得る。例えば、いくつかの実施形態では、ループ１０８は、外科医が手を通すことができるくらいに充分に大きくすることができる。更に、ループ１０８のサイズは調節可能であり、捕捉縫合糸１０６の終端部分１３８ａ、１３８ｂを引っ張ることにより締め付けられる、又は閉じられるように構成されており、それにより、保持縫合糸が細長いシャフト１０２の中心シャフト部分１２６の側壁に対して接触させられる。
【００３８】
外科用システム１００は、軟組織を骨に付着させるシステム１００の機能を補助する他の様々な機構を有することができる。例えば、外科用システム１００は、例えば圧入、ねじ連結、又は他の種類の接続によって細長いシャフト１０２の中心シャフト部分１２６の近位端又はその近くに取り付けられた近位端機構１４０を有することができる。図の実施形態では、近位端機構１４０は、ドライバ装置１０４の近位ハンドル１１４の近位に位置付けられている。近位端機構１４０は、例えば捕捉縫合糸１０６の終端部分１３８ａ、１３８ｂと係合するように構成された切欠き部１４１のような少なくとも１つの保持機構を有することができる。保持機構は、例えば、溝、隆起部、フック、クランプなどの任意の他の好適な形態であり得ることを理解されたい。保持機構１４１は、下記により詳細に述べるように、捕捉縫合糸１０６の終端部分１３８ａ、１３８ｂと係合することで終端部分１３８ａ、１３８ｂに張力をかけるように構成されている。
【００３９】
図１及び図５〜図７に示される外科用システム１００の組み立てられた構成では、細長いシャフト１０２は、ドライバ装置１０４内の管腔を通じて、詳細には、近位ハンドル１１４及びドライバシャフト１１６を通じて延びる中心管腔１２２を通じて延びている。遠位端１０２ｄ及び細長いシャフト１０２の中心シャフト部分１２６の一部は、遠位ドライバ部材１２０から遠位に延びている。捕捉縫合糸１０６はシャフト１０２の中心シャフト部分１２６の縫合糸保持機構１３２を通り、縫合糸保持機構１３２の近位端と開口部１３６との間に延びているため、捕捉縫合糸１０６の中間部分は開口部１３６から延びるループ１０８を形成している。この構成では、終端部分１３８ａ、１３８ｂは、ドライバ装置１０４の近位端から延びている。縫合糸アンカー１１０は、縫合糸アンカー１１０の近位端が肩部１１８に当接するようにドライバ部材１２０上に取り外し可能に取り付け可能である。また、ドライバシャフト１１６の少なくとも一部は、遠位ドライバ部材１２０が管腔１２４の少なくとも一部と嵌合するようにして縫合糸アンカー１１０内の管腔１２４内に延びている。更に、近位端機構１４０は近位ハンドル１１４の近位端１１４ｐの近位に位置している。細長いシャフト１０２、ドライバ装置１０４、縫合糸アンカー１１０、及び拡張器機構１１２は、これらの構成要素の長手方向軸が一致するようにして同軸上に整列されている。組み立てられた構成では、システム１００は、細長いシャフト１０２を受容したドライバ装置１０４と、ドライバシャフト１１６の遠位ドライバ部材１２０上に予め装填された縫合糸アンカー１１０とを含むことができる。しかしながら、いくつかの実施形態では、ドライバ装置１０４はアセンブリの一部でなくともよく、様々な装置ドライバを外科手術に先立ってシステムの他の構成要素に別々に連結することができる。
【００４０】
外科用システム１００、又は述べられる方法に基づく同様のシステムを使用して骨への軟組織の再付着又は骨へのグラフト組織の付着を行う外科的修復方法を行うことができる。例えば、システムは、回旋筋腱板修復手術において骨（例えば上腕骨頭）への腱（例えば棘上筋腱）の再付着に使用することができる。述べられる方法は、他の肩修復手術、並びに膝、及び付属する骨への軟組織の付着を必要とする他の関節修復手術でも使用することができる。
【００４１】
図の実施形態に基づく外科的修復方法は、細長いシャフトの遠位端を骨内に挿入することを含む。一実施形態では、シャフトは、埋め込み型カニューレ状拡張器機構、及び拡張器機構の近位に位置し、拡張器機構から少なくとも最初、離間された縫合糸アンカーを通じて延びる。細長いシャフトは、それを通じて延びる管腔を通じて延びる捕捉縫合糸であって、シャフトの側面を通じて延びるとともに拡張器機構の近位に配設された開口部で出る捕捉縫合糸を有し、この捕捉縫合糸は、開口部及びシャフトのより近位の位置まで延びる捕捉縫合糸の終端部分を通じて延びるループを形成する。拡張器機構を有する細長いシャフトの遠位端は、手術の完了時に縫合糸アンカーを完全に定置するのに充分な深さに達するまで骨内に挿入することができる。
【００４２】
本方法は、組織に連結された少なくとも１本の保持縫合糸を捕捉縫合糸のループに通すことと、捕捉縫合糸の終端部分に張力を加えることによって捕捉縫合糸のループを保持縫合糸上に閉じることと、も含み、これにより、捕捉縫合糸が保持縫合糸をシャフトの側壁により近づける。これにより、保持縫合糸は、縫合糸アンカーが続いて保持縫合糸と係合して保持縫合糸を（ひいては保持縫合糸に連結された組織を）骨に固定することができるような様式で細長いシャフトに対して保持される。
【００４３】
いくつかの実施形態では、保持縫合糸は捕捉縫合糸に通され、捕捉縫合糸のループが閉じられるか又は締めつけられた後、細長いシャフトの遠位端が骨内に挿入される。かかる実施形態では、細長いシャフトは、捕捉縫合糸に張力をかけて細長いシャフトに対して保持縫合糸を維持しながら骨内に挿入される。
【００４４】
保持縫合糸が、骨内にシャフトが挿入される前又は後のいずれで捕捉縫合糸のループに連結され、ループと係合するかにかかわらず、本外科的方法は、縫合糸アンカーを遠位機構に向かって遠位に、かつ骨内に打ち込み、それにより、保持縫合糸を前記骨と縫合糸アンカーの外側表面との間に固定することを更に含む。
【００４５】
図８Ａ〜図８Ｊは、述べられる実施形態に基づく外科的修復方法を示したものである。例として、図１〜図７に示される外科用システム１００を使用した外科的修復方法が示されている。しかしながら、外科的修復方法は、１つ又は２つ以上の構成要素が外科用システム１００に含まれるものと異なり得る外科用システムを含む、他の外科用システムを用いて行うこともできることを理解されたい。
【００４６】
図８Ａは、骨２００及び外科用システム１００を使用して骨２００に再付着される軟組織２０２（例えば腱）を概略的に示している。外科用システム１００の細長いシャフト１０２は、それを通じて延びる捕捉縫合糸１０６を有しており、開口部１３６を通じて延びるループ１０８を形成している。少なくとも１本の保持縫合糸２０４が、組織２０２に通されるか又は組織２０２の周囲に巻き付けられることなどによって組織２０２に連結されている。図８Ａに示されるように、保持縫合糸２０４の終端部分２０６ａ、２０６ｂは、矢印２０７ａ、２０７ｂによって概略的に示されるようにループ１０８に通されている。あくまで例として１本の保持縫合糸２０４が示されているが、複数の捕捉縫合糸を用いて組織２０２を骨２００に連結することができることを理解されたい。捕捉縫合糸ループ１０８は比較的大きなサイズであり、また調節可能であるため、複数の捕捉縫合糸を使用して軟組織を骨に連結することができる。
【００４７】
保持縫合糸２０４をループ１０８に通した後、捕捉縫合糸を、その終端部分１３８ａ、１３８ｂに張力を加えることによって閉じることができる。図８Ｂに示されるように、外科用システム１００は、シャフト１０２の近位端又はその近くに取り外し不能又は取り外し可能に配設された近位端機構１４０を含み、近位端機構１４０はドライバ装置のハンドル１１４の近位に配設されている。近位端機構１４０は、捕捉縫合糸の終端部分と係合するように構成された切欠き部１４１又は他の保持機構（例えば溝）が上に形成されている。このため、図８Ｂに示されるように、終端部分１３８ａ、１３８ｂは、切欠き部１４１と係合することによって近位端機構１４０の周囲に巻き付けられ、これにより、捕捉ループ１０８を閉じるために捕捉縫合糸１０８の終端部分を細長いシャフト１０２から離れる方向（矢印２０９により概略的に示される）に引っ張る間、捕捉縫合糸１０８の終端部分にかかる張力を維持する助けとなる。このようにして、保持縫合糸２０４は、下記に述べるように保持縫合糸２０４が縫合糸アンカー１１０と骨との間に押し込まれるまでの間、細長いシャフト１０２に対して保持される。図の方法の利点としては、結び目を作ることなく、軟組織を骨に固定的に再付着するために修復法を行うことができる容易性が挙げられる。
【００４８】
捕捉ループ１０６の終端部分１３８ａ、１３８ｂにかかる張力を維持した状態で、図８Ｂに示されるように、細長いシャフト１０２の遠位端１０２ｄを骨２００内に挿入して骨２００の所望の位置において骨２００に穴を最初に開ける。図の実施形態では、細長いシャフト１０２は、穴を最初に開けるように構成された自己穿孔型のシャフトであり、他の器具を必要としない。図８Ｂは、骨穴が最初に開けられた後、マレット、ハンマー、又は他の器具などの好適な器具２１０を使用して細長いシャフト１０２が骨２００内に遠位に更に打ち込まれることも示している。この例では、矢印２１１により概略的に示されるように、器具２１０を使用して細長いシャフト１０２の近位端１０２ｐに力を加えることによって細長いシャフト１０２の遠位端１０２ｄを骨２００内に打ち込んで穴２１２を形成することができる。図８Ｃ及び図８Ｄに示されるように、細長いシャフト１０２の遠位端１０２ｄを骨２００内に打ち込むことで、拡張器機構１１２が連結された細長いシャフト１０２の遠位シャフト部分１２８を骨２００内の穴２１２内に挿入することができる。細長いシャフト１０２の中心シャフト部分１２６の一部も穴２１２内に挿入されるのに対して、縫合糸アンカー１１０は骨穴２１２に対して所望の位置に位置付けられる。図の実施形態では、図８Ｄに示されるように、縫合糸アンカー１１０は、骨内に打ち込まれる前に骨穴２１２のすぐ近位に配設される。他の実施形態では、縫合糸アンカー１１０は穴２１２に対して異なる位置に配設されてもよく、例えば、縫合糸アンカー１１０は骨穴内に少なくとも部分的に挿入されてもよい。穴２１２の直径は、穴２１２がその中に縫合糸アンカー１１０をぴったりと収めることができるように形成することができる。
【００４９】
図８Ｄに示されるように、保持縫合糸２０４の終端部分２０６ａ、２０６ｂは骨穴１１２の外部に配設され、図８Ｄに矢印２１５ａ、２１５ｂにより概略的に示されるように、終端部分２０６ａ、２０６ｂにかけられる張力によって縫合糸２０４が骨穴１１２内に緊張状態で位置付けられ、一時的に保持される。保持縫合糸２０４の終端部分２０６ａ、２０６ｂに加えられる張力によって、組織２０２を骨穴１１２に対して望みどおりに位置付けることができる。例えば図の実施形態では、組織２０２は、図８Ｃに示される組織２０２よりも骨穴２１２の近くに組織２０２が位置する図８Ｄに示されるように、穴２１２のより近くに移動することができる。
【００５０】
拡張器機構１１２を有する細長いシャフト１０２が骨２００内に挿入されて所望の位置に骨穴２１２が形成された時点で、縫合糸アンカー１１０を拡張器機構１１２に向かって遠位に、かつ骨穴２１２内に打ち込むことにより、図８Ｅ及び図８Ｆに示されるように、保持縫合糸２０４を骨穴２１２の内側表面と縫合糸アンカー１１０の外側表面との間に固定することができる。図の実施形態では、遠位ドライバ部材１２０が縫合糸アンカー１１０に着脱可能に連結されたドライバ装置１０４を操作して縫合糸アンカー１１０を骨穴２１２内に打ち込む。例えば、ドライバ装置１０４を図８Ｅで矢印２１７により概略的に示されるように回転させることで、ドライバ装置１０４に連結された縫合糸アンカー１１０を、縫合糸アンカー１１０のねじ山１１１が骨穴２１２の内壁と係合した状態で骨内へと遠位に前進させることができる。ドライバ装置１０４が回転させられる際、ドライバ装置１０４の管腔１２２を通じて延びる細長いシャフト１０２は静止状態に保たれる。したがって、図８Ｅに示されるように、ドライバ装置１０４が遠位に打ち込まれた後、ドライバ装置１０４の近位ハンドル１１４は、細長いシャフト１０２の近位端に連結された近位端機構１４０からオフセットし、かつより遠位に配設される。ドライバ装置１０４が回転し、それにより、縫合糸アンカー１１０を拡張器機構１１２に向かって遠位に、かつ骨２００内に移動させることにより、保持縫合糸２０４が縫合糸アンカー１１０の側壁と骨穴２１２との間に保持される。
【００５１】
縫合糸アンカー１１０が骨２００の穴２１２内に打ち込まれた時点で、図８Ｇに矢印２１９により示されるように細長いシャフト１０２を拡張器機構１１２から分離することができ、ドライバ装置１０４を縫合糸アンカー１１０から分離することができる。いくつかの実施形態では、細長いシャフト１０２はドライバ装置１０４に連結されなくてもよく、ドライバ装置１０４が縫合糸アンカー１１０から分離される前に細長いシャフト１０２を拡張器機構１１２から分離してドライバ装置１０４の管腔１２２から取り除かれ得る。他の実施形態では、細長いシャフト１０２とドライバ装置１０４とは互いに連結されてもよく、これらを拡張器機構１１２及び縫合糸アンカー１１０からほぼ同時に分離することができる。細長いシャフト１０２及びドライバ装置１０４が取り除かれる様式にかかわらず、拡張器機構１１２及び縫合糸アンカー１１０は図８Ｇ及び図８Ｈに示されるように、骨穴２１２内に埋め込まれたままとなる。図８Ｇに示されるように、縫合糸２０６に張力をかける助けとなる近位端機構１４０に連結された捕捉縫合糸１０６の終端部分１３８ａ、１３８ｂを、近位端機構１４０に巻き付いた状態から解くことによって近位端機構１４０から分離することができる。
【００５２】
図８Ｈは、骨穴２１２内に埋め込まれた拡張器機構１１２及び縫合糸アンカー１１０を示している。細長いシャフト１０２及びドライバ装置１０４が取り除かれた後、図８Ｈに示されるように捕捉縫合糸１０６は縫合糸アンカー１１０に付属したままである。いくつかの実施形態では、縫合糸アンカー１１０が骨２００内に打ち込まれた後、細長いシャフト１０２及びドライバ装置１０４が取り除かれる前に、それと同時に、又はその後に、図９Ａに矢印２２３によって概略的に示されるように、捕捉縫合糸１０６が取り除かれ得る。保持縫合糸２０４の終端部分２０６ａ、２０６ｂは、例えばハサミ２２５を使用することによって切断することができる。その結果、図９Ｂに示されるように、捕捉縫合糸１０６が連結されていない縫合糸アンカー１１０が骨２００に保持縫合糸２０４を固定し、それにより、組織２０２が骨２００に固定される。保持縫合糸２０４の終端部分２０６ａ、２０６ｂは、やはり図９Ｂに示されるように切断することができる。
【００５３】
上記に述べた各実施形態では、外科用システムの細長いシャフトは、保持縫合糸が捕捉縫合糸ループに連結された後、かつ保持縫合糸をシャフトに対して保持するためにループが閉じられた後に、骨内に挿入される。しかしながら他の実施形態では、捕捉縫合糸が連結された細長いシャフトを骨内に最初に挿入することができ、次いで１本又は２本以上の保持縫合糸が捕捉縫合糸ループに通され、ループが締め付けられるか又は閉じられ、それにより、保持縫合糸を細長いシャフトの方向に、かつ細長いシャフトに対して動かすことができる。上記のアプローチのいずれが用いられるかによらず、外科用システムの細長いシャフトが骨穴を形成するために骨内に打ち込まれ、捕捉縫合糸ループがループに通された保持縫合糸上に閉じられた時点で、縫合糸アンカーが遠位に骨内に打ち込まれる。縫合糸アンカーが骨穴内に適切に位置付けられると、縫合糸アンカーは、保持縫合糸を骨内に固定し、それにより保持縫合糸に連結された組織を骨に固定する。
【００５４】
いくつかの実施形態では、外科用システムは、ドライバ装置又はドライバ、細長いシャフト、雄ねじが上に形成された縫合糸アンカー、及び縫合糸アンカーの遠位に位置する拡張器機構を有することができる。ドライバは、近位ハンドルと、近位ハンドルから延びるドライバシャフトとを有することができ、ドライバシャフトは遠位ドライバ機構及びドライバシャフトを通じて延びる管腔を有し、ドライバはその側面を通じて延びる開口部を有する。細長いシャフトは、細長いシャフトの遠位部分が前記遠位ドライバ機構から遠位に延びるようにしてドライバの管腔内に受容可能であり、細長いシャフトの中心シャフト部分は、ドライバの開口部と連通する、中心シャフト部分を通じて延びる縫合糸保持機構を有する。縫合糸アンカーは、中心シャフト部分をその内部に取り外し可能に受容する、縫合糸アンカーを通じて延びる管腔を有してもよく、遠位ドライバ機構が縫合糸アンカーに動作可能に連結される。遠位の拡張器機構は、それを通じて細長いシャフトの遠位部分の少なくとも一部が延びてもよく、細長いシャフトの遠位先端部の少なくとも一部が拡張器機構の遠位端から遠位に延びる。
【００５５】
図１０〜図１５Ｉは、細長いシャフト３０２、内部を通じて細長いシャフト３０２を受容するドライバ３０４、縫合糸アンカー３１０、及び埋め込み型であり得る拡張器機構３１２を含む外科用システム３００の別の実施形態を示している。図の実施形態では、ドライバ３０４は近位ハンドル３１４を有することができる。細長いシャフト３０２もまた、その近位端に連結されたハンドル３４０を有している。図１０に示されるように、細長いシャフト３０２のハンドル３４０は、ドライバ３０４の近位ハンドル３１４の近位に配設されている。細長いシャフト３０２のハンドル３４０と、ドライバ３０４の近位ハンドル３１４とは、下記により詳細に述べるように、独立して移動可能であり得る。
【００５６】
システム３００の構成要素は、様々な構成を有することができる。図１０に示されるように、縫合糸アンカー３１０を骨に打ち込むように構成されたドライバ装置３０４は、近位ハンドル３１４、及び近位ハンドル３１４から延びるドライバシャフト３１６を有している。ドライバシャフト３１６は、様々な形でハンドル３１４に連結され得る。図１１に示されるように、ドライバシャフト３１６は遠位ドライバ部材３２０の近位に肩部３１８を有しており、この遠位ドライバ部材３２０は肩部３１８から、ドライバ装置３０４のドライバシャフト３１６の遠位端でもある遠位ドライバ部材３２０の遠位端３２０ｄまで延びている。遠位ドライバ部材３２０には、図１３及び図１４に示されるように縫合糸アンカー３１０が取り付けられている。図の実施形態では、ドライバシャフト３１６は、肩部３１８と遠位ドライバ部材３２０との間にネック機構３２１を有しており、ネック機構３２１は縫合糸アンカー３１０の近位端３１０ｐと当接している。使用時には、ネック機構３２１は、縫合糸アンカー３１０を遠位に打ち込む助けとなる。ドライバシャフト３１６は、肩部３１８及び／又はネック機構３２１が含まれない構成を含む、他の好適な構成を有することができることを理解されたい。
【００５７】
ドライバシャフト３１６は、図１２〜１４に示されるようにそれを通じて延びる管腔３２２を有している。ドライバシャフト３１６の管腔３２２は、それを通じて細長いシャフト３０２を受容する。更に、図の実施形態では、ドライバ装置３０４のドライバシャフト３１６は、図１０及び図１２〜１４に示されるようにその側面を通じて延びる開口部３１７を有している。
【００５８】
ドライバ装置３０４の近位ハンドル３１４は、様々な構成を有することができる。図の実施形態では、ドライバ装置３０４の管腔３２２は、ドライバシャフト３１６を通じ、更に近位ハンドル３１４の長さを通じて延びている。このようにして、ドライバ装置３０４の管腔３２２は、それを通じて細長いシャフト３０２を受容する。ドライバシャフト３１６は、近位ハンドル３１４を回転させるとドライバシャフト３１６が回転するように好適な様式で近位ハンドル３１４に連結されている。ドライバ装置３０４の近位ハンドル３１４は、ドライバ装置３０４の使用時のグリップ性を高める表面特徴を有するように構成され得る。例えば、図１０に示されるように、近位ハンドル３１４は、その長さに沿って形成された１つ又は２つ以上の溝３１５を有することができる。しかしながら、述べられる実施形態はこの点に関して限定されておらず、近位ハンドル３１４が任意の好適な特徴を有し得ることを理解されたい。
【００５９】
縫合糸アンカー３１０は、様々な構成を有することができる。図の実施形態では、縫合糸アンカー３１０は、縫合糸アンカー３１０を骨と係合するように構成された雄ねじ３１１が上に形成されている。雄ねじ３１１は、１つ又は２つ以上のねじ山の形態であってもよい。縫合糸アンカー３１０は、任意の好適な構成を有することができ、他の骨係合機構を有することができる。図１２〜１４に示されるように、縫合糸アンカー３１０はそれを通じて延びる管腔３２４を有することができ、管腔３２４の少なくとも一部の中に遠位ドライバ部材３２０を受容することができる。図１３及び１４に示されるような組み立てられた構成では、遠位ドライバ部材３２０は縫合糸アンカー３１０の管腔３２４を通じて延びており、遠位ドライバ部材３２０の遠位端３２０ｄは縫合糸アンカー３１０の遠位端３１０ｄの近位に配設されている。しかしながら、他の実施形態では、遠位ドライバ部材３２０の遠位端３２０ｄは、縫合糸アンカー３１０の遠位端３１０ｄと整列するか、又はこれを越えて延びてもよい。
【００６０】
ドライバ装置３０４の遠位ドライバ部材３２０は、縫合糸アンカー３１０と着脱可能に嵌合し、それにより、嵌合した縫合糸アンカー３１０を下記により詳細に述べるように骨内に遠位に打ち込むように構成されている。いくつかの実施形態では、本明細書に例示されるように、遠位ドライバ部材３２０は、縫合糸アンカー３１０の管腔を画定する内壁の少なくとも一部に形成された対応する雌ドライバ機構内に受容されるように構成された雄機構の形態であってもよい。
【００６１】
図の実施形態では、図１２に示されるように、雄機構は六角形状であり、縫合糸アンカー３１０の対応する雌ドライバ機構は、縫合糸アンカー３１０の管腔３２４を画定する内壁の少なくとも一部内に形成された対応する六角形状の雌ドライバ機構であってもよい。図１２は、縫合糸アンカー３１０の管腔３２４を画定する内壁の少なくとも一部の断面が六角形であることを示している。図の実施形態では、管腔３２４を画定する内壁の遠位部分３１９（図１３及び１４）の内部には、遠位ドライバ部材３２０と嵌合するように構成された雌機構（例えば六角形の雌機構）が形成されなくてもよい。この実施形態では、ドライバ装置３０４の遠位ドライバ部材３２０は縫合糸アンカー３１０の管腔３２４を通じて延びており、遠位ドライバ部材３２０の遠位端３２０ｄは縫合糸アンカー３１０の遠位端３１０ｄの近位に配設されている。縫合糸アンカー３１０の管腔３２４を画定する内壁の遠位部分３１９の断面は円形であってもよく、これにより、縫合糸アンカー３１０の管腔３２４の遠位端に縫合糸を通すことが容易となる。
【００６２】
図の実施形態では、図１３及び１４に示されるように、細長いシャフト３０２は、中心シャフト部分３２６、及び遠位肩部３２７から遠位に延び、細長いシャフト３０２の遠位端３０２で終端する遠位シャフト部分３２８を有している。しかしながら、他の実施形態では、遠位肩部３２７は形成されなくてもよいことを理解されたい。遠位シャフト部分３２８は、遠位にテーパ状の遠位錐状先端部分３３０を有している。図の実施形態では、遠位シャフト部分３２８は、中心シャフト部分３２６の外径よりも小さい外径を有することができる。
【００６３】
組み立てられた構成では、細長いシャフト３０２は、細長いシャフト３０２の遠位シャフト部分３２８及び細長いシャフト３０２の中心シャフト部分３２６の少なくとも一部が遠位ドライバ部材３２０から遠位に延びるようにしてドライバ装置３０４の管腔３２２内に受容され得る。細長いシャフト３０２は、ドライバ装置３０４の管腔３２２から取り外し可能であり得る。図の実施形態では、細長いシャフト３０２の遠位端３０２ｄは、骨内に挿入されて骨に穴を最初に開けるように構成されている。したがって、他の器具を使用して骨に穴を最初に開ける必要がない。
【００６４】
図の実施形態では、図１２〜図１４に示されるように、細長いシャフト３０２の中心シャフト部分３２６は、少なくとも１本の縫合糸を定置するように構成された、細長いシャフト３０２を通じて延びる縫合糸保持機構３３２を有している。図１３及び１４に示されるように、縫合糸保持機構３３２は、中心シャフト部分３２６の遠位端３２６ｄから延びることができる。この例では、中心シャフト部分３２６の遠位端３２６ｄは中心シャフト部分３２６の遠位肩部３２７と一致しているが、中心シャフト部分３２６はこのような遠位肩部を有さなくてもよい。縫合糸保持機構３３２は、中心シャフト部分３３６内の終端点まで延びてもよく、これにより縫合糸保持機構３３２はドライバ装置３０４の側面を通じて延びる開口部３１７と連通する。図の実施形態では、図１３及び図１４に示されるように、縫合糸保持機構３３２は、ドライバ装置３０４の開口部３１７の近位端３１７ｐで概ね終端している。しかしながら、縫合糸保持機構３３２は、開口部３１７の近位端３１７ｐの遠位側又は近位側で終端してもよい。
【００６５】
細長いシャフト３０２の中心シャフト部分３２６の縫合糸保持機構３３２は、任意の好適な構成を有してもよく、少なくとも１本の縫合糸を細長いシャフト３０２に沿って定置するように細長いシャフト３０２内に任意の好適な形で形成されてもよい。図の実施形態では、縫合糸保持機構３３２は、中心シャフト部分３２６の外側表面に細長いシャフト３０２の長手方向軸に沿って又は長手方向軸に平行に形成された溝の形態であってもよい。しかしながら、他の実施形態では、縫合糸保持機構３３２は、管腔又は他の機構であってもよい。
【００６６】
図の実施形態では、外科用システム３００は縫合糸アンカー３００の遠位に位置する拡張器機構３１２を有している。細長いシャフト３０２の遠位シャフト部分３２８は拡張器機構３１２を通じて延びるように構成されており、細長いシャフト３０２の遠位端３０２ｄが拡張器機構３１２から遠位に延びている。拡張器機構３１２は、穴が最初に開けられた時点で例えば細長いシャフト３０２の遠位端３０２ｄによって骨内の穴を拡げることにより、骨内への細長いシャフト３０２の挿入を促すように構成されている。拡張器機構３１２は遠位にテーパ状である。図１１に示されるように、拡張器機構３１２は、２つ又は３つ以上の三角形の面３１３を有する切頭角錐の形状の形態であってもよい。面３１３はほぼ平坦としてもよく、又は他の形で構成してもよい。図の実施形態では、拡張器機構３１２は３つの面３１３を有しており、面３１３のそれぞれは面の遠位端に溝３１５を有している。このような拡張器機構３１２の形状は、骨内への拡張器機構３１２の挿入を促すことができる。拡張器機構３１２は、２つ又は３つ以上の面を有することができることを理解されたい。また、他の実施形態では、拡張器機構３１２は切頭円錐の形態であってもよいが、拡張器機構３１２は他の好適な構成を有してもよい。
【００６７】
拡張器機構３１２は、細長いシャフト３０２上に圧入するか、又は他の形で着脱可能に連結することができる。拡張器機構３１２は、図の実施形態のように表面特徴を有さなくてもよい。しかしながら、いくつかの実施形態では、拡張器機構３１２は、骨との係合を促す１つ又は２つ以上の表面特徴を有することができる。拡張器機構３１２は、任意の好適な寸法を有することができる。更に、いくつかの実施形態では、拡張器機構３１２は、埋め込み型であってもよく、非金属材料で作製されていてもよい。これは、拡張器機構３１２の性質が、システム３００のイメージングと干渉しないようなものとなることから有用であり得る。更に、拡張器機構３１２は骨の穴の形成を助けるうえで充分な固さを有する一方で生体吸収性及び／又は生体分解性であり得る。しかしながら、他の実施形態では、拡張器機構３１２は、金属で作製されていてもよい。
【００６８】
図の実施形態では、図の実施形態では、図１４に示されるように、外科用システム３００には、組織を骨に付着させるために用いられる少なくとも１本の縫合糸４０６を付属させることができる。縫合糸４０６は外科用システム３００によって保持することができ、組織に連結することができる縫合糸４０６の終端部分４０６ａ、４０６ｂが、細長いシャフト３０２の中心シャフト部分３２６の縫合糸保持機構３３２に沿って、更にドライバ装置３０４の側面を通じて延びる開口部３１７を通じて縫合糸アンカー３１０の管腔３２４に通される。図１４に示されるように、縫合糸４０６の終端部分４０６ａ、４０６ｂは開口部３１７から延出している。
【００６９】
図１５Ａ〜図１５Ｊは、軟組織４０２（例えば腱）を骨４００に付着させるための外科的修復方法で使用される外科用システム３００を示したものである。述べられる実施形態に基づく外科的修復方法は、１つ又は２つ以上の構成要素が外科用システム３００に含まれるものと異なり得る外科用システムを含む、他の外科用システムを用いて行うこともできることを理解されたい。
【００７０】
図１５Ａは、縫合糸４０６の終端部分４０６ａ、４０６ｂがシステム３００に連結されることを概略的に示している（矢印４０７）。上記に述べたように、縫合糸４０６の終端部分４０６ａ、４０６ｂは、図１４に示されるように、細長いシャフト３０２の中心シャフト部分３２６の縫合糸保持機構３３２に沿って、更にドライバ装置３０４の側面を通じて延びる開口部３１７を通じて縫合糸アンカー３１０の管腔３２４に通すことができる。図１５Ａは、縫合糸４０６が組織４０２に連結され得ることを示している。例えば、縫合糸４０６は、縫合糸４０６の終端部分４０６ａ、４０６ｂがシステム３００と自由に係合できるように組織４０２に通すか又は他の形で組織４０２に連結することができる。
【００７１】
図１５Ｂは、縫合糸４０６が装填された外科用システム３００を示している。矢印４０９により示されるように、縫合糸４０６に張力が加えられ得る。捕捉縫合糸４０６の終端部分４０６ａ、４０６ｂにかかる張力を維持した状態で、図１５Ｃに示されるように、細長いシャフト３０２の遠位端３０２ｄを骨４００内に挿入して骨４００の所望の位置において骨４００に穴を最初に開ける。図の実施形態では、細長いシャフト３０２は、穴を最初に開けるように構成された自己穿孔型のシャフトであり、他の器具を必要としない。図１５Ｃは、骨に穴が最初に開けられた後、マレット、ハンマー、又は他の器具などの好適な器具４１０を使用して細長いシャフト３０２を骨４００内に遠位に更に打ち込むことも示している。この例では、矢印４１１により示されるように、器具４１０を使用して細長いシャフト３０２の近位に連結された近位ハンドル３４０の近位端３４０ｐに力を加え、それにより細長いシャフト３０２の遠位端３０２ｄを骨４００内に更に打ち込むことができる。
【００７２】
細長いシャフト３０２が骨４００内に遠位に打ち込まれるにつれて、拡張器機構３１２が穴を拡げる。細長いシャフト３０２の遠位端３０２ｄが骨４００内に挿入される際、図１５Ｄに矢印４１３によって示されるように縫合糸４０６の終端部分４０６ａ、４０６ｂにかかる張力を維持することができる。図１５Ｄ及び１５Ｅに示されるように、細長いシャフト３０２の遠位端３０２ｄを骨４００内に打ち込むことで、拡張器機構３１２が連結された細長いシャフト３０２の遠位シャフト部分３２８を骨４００内の穴４１２内に挿入することができる。細長いシャフト３０２の中心シャフト部分３２６の一部も穴４１２内に挿入されるのに対して、縫合糸アンカー４１０は骨穴４１２に対して所望の位置に位置付けられる。図の実施形態では、図１５Ｅに示されるように、縫合糸アンカー３１０は、骨内に打ち込まれる前に骨穴４１２のすぐ近位に位置付けられる。他の実施形態では、縫合糸アンカー３１０は、骨穴内に少なくとも部分的に挿入することができる。
【００７３】
拡張器機構３１２を有する細長いシャフト３０２の遠位端３０２ｄが骨４００内に所望の深さまで打ち込まれた時点で、縫合糸アンカー３１０を拡張器機構３１２に向かって遠位に、かつ骨穴４１２内に打ち込むことができる。図の実施形態では、遠位ドライバ部材３２０が縫合糸アンカー３１０に着脱可能に連結されたドライバ装置３０４を作動させて縫合糸アンカー３１０を遠位に骨穴４１２内に打ち込む。図１５Ｆに示されるように、ドライバ装置３０４を、例えば矢印４１５により示されるようにドライバ装置３０４の近位ハンドル３１４を回転させることなどによって回転させることができる。図１５Ｆ及び図１５Ｇに示されるように、この回転によって、縫合糸アンカー３１０が拡張器機構３１２に向かって遠位に、かつ骨４００内に前進する。縫合糸アンカー３１０のねじ山３１１が骨４００と係合する。ドライバ装置３０４が回転させられる際、ドライバ装置３０４の管腔３２２及び拡張器機構３１２を通じて延びる細長いシャフト３０２は静止状態に保たれる。例えば、図１５Ｈは、装置ドライバ３０４が遠位に打ち込まれた後、ドライバ装置３０４の近位ハンドル３１４が、細長いシャフト３０２の近位ハンドル３４０からオフセットし、装置ドライバ３０４が遠位に打ち込まれる前（例えば図１５Ｆ）よりも細長いシャフト３０２の近位ハンドル３４０に対してより遠位に配設されることを示している。装置ドライバ３０４を回転させることにより縫合糸アンカー３１０を拡張器機構３１２に向かって遠位に、かつ骨４００内に移動させると、縫合糸４０６が骨穴４１２と縫合糸アンカー３１０の外側表面との間に固定される。
【００７４】
縫合糸アンカー３１０が骨４００の穴４１２内に打ち込まれた時点で、図１５Ｈに矢印４１７により示されるように細長いシャフト３０２を拡張器機構３１２から分離することができ、ドライバ装置３０４を縫合糸アンカー３１０から分離することができる。いくつかの実施形態では、細長いシャフト３０２はドライバ装置３０４に連結されなくてもよく、ドライバ装置３０４が縫合糸アンカー３１０から分離される前に細長いシャフト３０２が拡張器機構３１２から分離されて、ドライバ装置３０４の管腔３２２から取り除かれ得る。他の実施形態では、細長いシャフト３０２とドライバ装置３０４とは互いに連結されてもよく、これらを拡張器機構３１２及び縫合糸アンカー３１０からほぼ同時に分離することができる。細長いシャフト３０２及びドライバ装置３０４が取り除かれる様式にかかわらず、拡張器機構３１２及び縫合糸４０６が連結された縫合糸アンカー３１０は、図１５Ｉに示されるように骨穴４１２内に埋め込まれたままとなり、それにより組織４０２を骨４００に付着させる。必要に応じて、縫合糸４０６の終端部分４０６ａ、４０６ｂを好適な切断器具を用いて切断してもよく、図１５Ｉは、例として切断された終端部分４０６ａ、４０６ｂを示している。また、いくつかの実施形態では、縫合糸４０６の終端部分４０６ａ、４０６ｂが組織４０２に通されてもよく、又は終端部分４０６ａ、４０６ｂが別の縫合糸アンカーに連結されてもよい。
【００７５】
いくつかの実施形態では、外科用システムは、プッシャ装置、ドライバ装置又はドライバ、細長いシャフト、縫合糸アンカー、及び埋め込み型拡張器機構を含む。プッシャ装置は、近位ハンドルと、近位ハンドルから延びるシャフトとを有し、このシャフトはそれを通じて延びる第１の管腔を有し、プッシャ装置はその側面を通じて延びる第１の開口部を有する。ドライバは、近位ハンドルと、近位ハンドルから延び、内部を通じて延びる第２の管腔を有するシャフトとを有し、ドライバのシャフトは、プッシャ装置の第１の管腔を少なくとも部分的に通じて延び、ドライバはその側面を通じて延びる第２の開口部を有し、第２の開口部は第１の開口部と連通する。細長いシャフトは第２の管腔内に近位に後退可能に配設されてもよく、これにより、細長いシャフトは後退構成と前進構成との間を移動することができる。細長いシャフトが後退構成にある場合、少なくとも１本の縫合糸が外科用システムに連結され得る。雄ねじが上に形成された縫合糸アンカーは、ドライバのドライバシャフトの遠位ドライバ部材を内部に取り外し可能に受容する、縫合糸アンカーを通じて延びる第３の管腔を有する。拡張器機構は、縫合糸アンカーの遠位の遠位ドライバ部材上に取り外し可能に配設され得る。
【００７６】
図１６〜図２０Ｉは、オーバーチューブ又はプッシャ装置５０１、細長いシャフト５０２、その内部を少なくとも部分的に通じて細長いシャフト５０２を受容するドライバ装置又はドライバ５０４、縫合糸アンカー５１０、及び埋め込み型であり得る拡張器機構５１２を含む外科用システム５００の別の実施形態を示したものである。図の実施形態では、ドライバ装置５０４は近位ハンドル５１４を有することができる。細長いシャフト５０１もまた、その近位端に連結されたハンドル５０３を有することができる。図１６に示されるように、ドライバ装置５０４の近位ハンドル５１４は、プッシャ装置５０１のハンドル５０３の近位に配設されている。図の実施形態では、細長いシャフト５０２は、ドライバ装置５０４の近位ハンドル５１４内に配設された後退機構５０７に連結されており、後退機構５０７は、下記により詳細に述べるように、細長いシャフト５０２を後退構成と伸長構成との間を移動させように作動するように構成されている。
【００７７】
システム５００の構成要素は、様々な構成を有することができる。プッシャ装置５０１は、下記に述べるように縫合糸アンカー５１０に力を加えるように構成されており、様々な構成を有することができる。図１６、図１７Ａ、及び図１７Ｂに示されるように、プッシャ装置５０１は、プッシャ装置５０１の近位ハンドル５０３から遠位に延びるシャフト５０５を有している。プッシャ装置５０１のシャフト５０５は、内部を通じてドライバ５０４を受容する、シャフト５０５を通じて延びる管腔５０９を有している。プッシャ装置５０１は、その側面を通じて延びる開口部５１１を有している。
【００７８】
ドライバ５０４は、縫合糸アンカー５１０を骨内に打ち込むように構成されており、やはり様々な構成を有することができる。図の実施形態では、ドライバ５０４は、ドライバ５０４の近位ハンドル５１６から遠位に延び、かつドライバ５０４を通じて延びる管腔５２２を有するドライバシャフト５１６を有している。図１７Ａ及び図１７Ｂに示されるように、ドライバシャフト５１６は遠位ドライバ部材５２０を有しており、この遠位ドライバ部材５２０は、ドライバシャフト５１６内のある点又は機構から、ドライバ５０４のドライバシャフト５１６の遠位端でもある遠位ドライバ部材５２０の遠位端５２０ｄまで延びている。例えば、図１７Ａ及び図１７Ｂに示されるように、ドライバシャフト５１６は遠位ドライバ部材５２０の近位に肩部５１８を有することができ、遠位ドライバ部材５２０は肩部５１８から遠位ドライバ部材５２０の遠位端５２０ｄまで延びている。図の実施形態では、遠位ドライバ部材５２０は、図１７Ａ及び図１７Ｂに示されるように、拡張器機構５１２を通じ、更に縫合糸アンカー５１０を通じて延びるように構成されている。
【００７９】
図の実施形態では、ドライバ５０４のドライバシャフト５１６は、プッシャ装置５０１の管腔５０９を少なくとも部分的に通じて延びている。更に、ドライバ５０４は、そのドライバシャフト５１６にドライバシャフト５１６の側面を通じて延びる開口部５１７を有している。組み立てられた構成では、図１６、図１７Ａ、図１７Ｂ、及び図１８に示されるように、ドライバシャフト５１６を通じて延びる開口部５１７は、プッシャ装置５０１を通じて延びる開口部５１１と連通する。
【００８０】
ドライバシャフト５１６の管腔５２２は、それを通じて細長いシャフト５０２を受容するように構成されており、細長いシャフト５０２は、管腔５２２内に近位に後退可能に配設されてもよい。図の実施形態では、細長いシャフト５０２は、図１７Ａに示される、細長いシャフト５０２の遠位端５０２ｄがドライバシャフト５１６の開口部５１７の近位に配設される後退構成と、図１７Ｂに示される、細長いシャフト５０２の遠位端５０２ｄが拡張器機構５１２の遠位端５１２ｄから遠位に延びる前進構成との間を移動するように構成されている。後退構成では、細長いシャフト５０２は、ドライバシャフト５１６の壁の遠位端５１７ｄと壁の近位端５１７ｐとの間に延びる開口部５１７を画定するドライバシャフト５０２の壁の少なくとも遠位端５１７ｄの近位に配設されてもよい。図１７Ａに示されるように、細長いシャフト５０２は、開口部５１７を画定するドライバシャフト５０２の壁の近位端５１７ｐの近位に配設されてもよい。図の実施形態では、プッシャ装置５０１の開口部５１１は、ドライバシャフト５１６の開口部５１７の長さとほぼ同じ長さを有することができ、又はプッシャ装置５０１の開口部５１１はドライバシャフト５１６の開口部５１７の長さよりも大きい長さを有することができる。プッシャ装置５０１の開口部５１１及びドライバシャフト５１６の開口部５１７の特定のサイズにかかわらず、開口部５１１、５１７は、それらの少なくとも一部が整列するように形成されて、それにより、縫合糸がドライバシャフト５１６の管腔５２２から開口部５１１、５１７の両方に通ることを可能にする。
【００８１】
図の実施形態では、細長いシャフト５０２は、例えば図１０〜図１５Ｉの細長いシャフト５０２の外径よりも小さくなり得る、小径化した外径を有することができる。これにより、細長いシャフト５０２はドライバシャフト５１６の管腔５２２内に収まり、細長いシャフト５０２内に縫合糸保持機構を形成することなく、１本又は２本以上の縫合糸を細長いシャフト５０２の少なくとも一部に沿って管腔５２２に通すことができる。しかしながら、いくつかの実施形態では、溝、通路、又は他の機構の形態の縫合糸保持機構を細長いシャフト５０２内に形成することができる。
【００８２】
ドライバ装置５０４の近位ハンドル５１４は、様々な構成を有することができる。図の実施形態では、近位ハンドル５１４は、細長いシャフト５０２を後退構成と前進構成との間を移動させるように作動するように構成された後退機構５０７を有している。後退機構５０７は、様々な構成を有することができる。例えば、図１６に示されるように、後退機構５０７は、通路５２３を介して連通する第１及び第２の保持スロット５２１ａ、５２１ｂを有することができ、通路５２３内で細長いシャフト５０２に連結されたハンドル又はレバー５２５は、第１の遠位側スロット５２１ａと近位側スロット５２１ｂとの間を移動することができ、それにより、それぞれ、細長いシャフト５０２を、前進構成と後退構成との間を移動させることができる。レバー５２５は、ノブ又はグリップ性を高める他の任意の機構を有することができ、任意の好適な様式で細長いシャフト５０２に動作可能に連結することができる。更に、いくつかの実施形態では、細長いシャフト５０２とレバー５２５とを一体形成することもできる。後退機構５０７はあくまで例として図の実施形態で示したものにすぎず、任意の好適な機構をこれに加えて、又はこれに代えて使用して、細長いシャフト５０２が前進構成と後退構成との間を移動することを可能にすることができることを理解されたい。
【００８３】
細長いシャフト５０２が図１７Ａに示されるような後退構成にある場合、細長いシャフト５０２の遠位端５０２ｄは、ドライバシャフト５１６の開口部５１７を画定するドライバシャフト５１６の壁の遠位端５１７ｄの近位に配設されてもよい。細長いシャフト５０２の遠位端５０２ｄがプッシャチューブ５０１及びドライバシャフト５１６の開口部５１１、５１７のそれぞれの少なくとも一部の近位に配設されてもよく、これにより少なくとも１本の縫合糸がドライバシャフト５１６の管腔５２２の一部に通され得る。図１７Ａを参照すると、細長いシャフト５０２が管腔５２２の部分に存在していない場合、ドライバシャフト５１６の管腔５２２の遠位端５２０ｄと、細長いシャフト５０２の遠位端５０２が配設される管腔５２２内の点との間に延びるこの部分は、その内部を通じて少なくとも１本の縫合糸６０６を受容することができる。図１８Ａは、後退構成にある細長いシャフト５０２及びドライバシャフト５１６の管腔５２２に通された縫合糸６０６を示したものであり、縫合糸６０６は、拡張器機構５１２の遠位端５１２ｄから管腔５２２に入り、拡張器機構５１２の管腔５２６を通じ、管腔５２２を通じて延び、プッシャチューブ５０１及びドライバシャフト５１６のそれぞれの開口部５１１、５１７から管腔５２２を出ている。図に示されるように、縫合糸６０６の終端部分６０６ａ、６０６ｂが、プッシャチューブ５０１の開口部５１１から延出している。図１８Ａに示されるように縫合糸６０６がシステム５００連結された時点で、レバー５２５を遠位に移動させることなどにより後退機構５０７が作動し、にそれにより細長いシャフト５０２を遠位に移動させることができる。図１８Ｂは、細長いシャフト５０２の遠位端５０２ｄが拡張器機構５１２の遠位端５１２ｄから遠位に延びている前進構成にある細長いシャフト５０２を示している。
【００８４】
縫合糸アンカー５１０は、様々な構成を有することができる。図の実施形態では、縫合糸アンカー５１０は、縫合糸アンカー５１０を骨と係合するように構成された１つ又は２つ以上の雄ねじ５１１が上に形成されている。縫合糸アンカー５１０は、任意の好適な構成を有することができ、他の骨係合機構を有することができる。縫合糸アンカー５１０は、それを通じて延びる管腔５２４を有することができ、管腔５２４の少なくとも一部の中にドライバ５０４の遠位ドライバ部材５２０を受容することができる。図１８Ｂに示されるような組み立てられた構成では、遠位ドライバ部材５２０は、縫合糸アンカー５１０の管腔５２４を通じて、縫合糸アンカー５１０の遠位側で遠位ドライバ部材５２０に取り付けられた拡張器機構５１２の管腔５２６内に更に遠位に延びている。図１６に示されるように、組み立てられた構成では、プッシャ装置５０１の遠位端は縫合糸アンカー５１０の近位端５１０ｐに当接している。これにより、下記により詳細に述べるように、縫合糸アンカー５１０を骨内に打ち込む際にプッシャ装置５０１を用いて縫合糸アンカー５１０に力を加えることができる。
【００８５】
拡張器機構５１２も、様々な構成を有することができる。拡張器機構５１２は、穴が最初に開けられた時点で例えば細長いシャフト５０２の遠位端５０２ｄによって骨内の穴を拡げることにより、骨内への細長いシャフト５０２の挿入を促すように構成されている。拡張器機構５１２は遠位にテーパ状であってもよいが、切頭円錐、任意の好適な数の面を有する切頭角錐などの形態であってもよい。いくつかの実施形態では、拡張器機構１１２（図１〜図１０Ｂ）及び拡張器機構３１２（図１０〜図１５Ｉ）と同様に、拡張器機構５１２は、埋め込み型であってもよく、非金属材料で作製されていてもよく、拡張器機構５１２は、生体吸収性及び／又は生体分解性であってもよい。しかしながら、他の実施形態では、拡張器機構５１２は、金属で作製されていてもよい。
【００８６】
図の実施形態では、ドライバ５０４の遠位ドライバ部材５２０は縫合糸アンカー５１０と着脱可能に嵌合し、それにより、嵌合した縫合糸アンカー５１０を骨内に遠位に打ち込むように構成されている。図１７Ａ〜図１８Ｂに示されるように、遠位ドライバ部材５２０は拡張器機構５１２とも着脱可能に嵌合する。いくつかの実施形態では、本明細書に例示されるように、遠位ドライバ部材５２０は、縫合糸アンカー５１０の管腔を画定する内壁の少なくとも一部に形成された対応する雌機構内に受容されるように構成された雄機構の形態であってもよい。例えば、雄機構は六角形状であってもよく、縫合糸アンカー５１０の対応する雌ドライバ機構は、縫合糸アンカー５１０の管腔５２４を画定する内壁の少なくとも一部内に形成された対応する六角形状の雌機構であってもよい。図の実施形態では、遠位ドライバ部材５２０は縫合糸アンカー５１０の管腔５２４の全体を通じて延びており、管腔５２４を画定する縫合糸アンカー５１０の内壁の全体を遠位ドライバ部材５２０と着脱可能に嵌合するように構成され得る。ドライバ５０４のドライバシャフト５１６の遠位ドライバ部材５２０に着脱可能に取り付けられた拡張器機構５１２の管腔５２６を画定する内壁の少なくとも一部も、遠位ドライバ部材５２０の雄ドライバ機構と着脱可能に嵌合するように構成された雌機構の形態であってもよい。例えば、図の実施形態に見られるように、拡張器機構５１２の管腔５２６を画定する内壁の少なくとも一部が六角形状であってもよい。遠位ドライバ部材５２０の雄機構と、対応する縫合糸アンカー５１０及び拡張器機構５１２の雌機構とは他の任意の構成を有することができる（例えば正方形）ことを理解されたい。
【００８７】
図の実施形態では、拡張器機構５１２の遠位端５１２ｄに隣接した管腔５２６を画定する内壁の遠位部分５１９は、六角形、正方形、又は遠位ドライバ部材５２０と嵌合するように構成された他の機構のような雌機構を有さなくてもよい。拡張器機構５１２の管腔５２６を画定する内壁の遠位部分５１９の断面は円形であってもよく、これにより、拡張器機構５１２の遠位端５１２ｄに縫合糸を通すことが容易となる。
【００８８】
図１９〜図２０Ｉは、軟組織６０２（例えば腱）を骨６００に付着させるための外科的修復法で使用される外科用システム５００を示したものである。述べられる実施形態に基づく外科的修復方法は、１つ又は２つ以上の構成要素が外科用システム５００に含まれるものと異なり得る外科用システムを含む、他の外科用システムを用いて行うこともできることを理解されたい。
【００８９】
図１９は、縫合糸６０６の終端部分６０６ａ、６０６ｂがシステム５００に連結されることを概略的に示している（矢印６０７）。図１９では、細長いシャフト５０２は図１７Ａに示されるような後退構成にある。ドライバ５０４の近位ハンドル５１４の後退機構５０７のレバー５２５は、近位側スロット５２１ｂ内に配設されている。このような構成では、縫合糸６０６を、拡張器機構５１２を通じ、拡張器機構５１２の少なくとも一部を通り、更に縫合糸アンカー５１０を通じて延びる遠位ドライバ部材５２０の管腔５２２を通じて、更にドライバ５０４の開口部５１７及びプッシャチューブ５０１の開口部５１１を通じて通すことができ、開口部５１１と５１７とは互いに少なくとも部分的に整列されている。図１９に示されるように、縫合糸６０６は、縫合糸６０６の終端部分６０６ａ、６０６ｂがシステム５００と係合できるように組織６０２に通すか又は他の形で組織６０２に連結することができる。いくつかの実施形態では、縫合糸６０６がシステム５００に連結された後に縫合糸６０６が組織に連結され得ることを理解されたい。
【００９０】
縫合糸６０６を例えば図１８Ａに示されるようにシステム５００と結合させた後、細長いシャフト５０２を前進構成に移動させることができる。例えば、後退機構５０７のレバー５２５を図２０Ａに示されるように遠位に移動させ、それにより細長いシャフト５０２が遠位に前進することができる。これにより、図１８Ｂに示されるように、細長いシャフト５０２はその遠位端５０２ｄが拡張器機構５１２を越えて遠位に延びるように位置付けられる。図２０Ａは、システム５００に連結された縫合糸６０６及び前進構成に移動した細長いシャフト５０２を示している。
【００９１】
図２０Ｂは、骨６００の所望の位置に穴を最初に開けるために骨６００内に挿入された細長いシャフト５０２の遠位端５０２ｄを示している。細長いシャフト５０２の遠位端５０２ｄを使用して骨６００に穴を最初に開ける間、縫合糸６０６に張力が加えられ得る。図２０Ｂはまた、骨６００に穴が最初に開けられた後、矢印６１１により示されるように、マレット、ハンマー、又は他の器具などの好適な器具６１０を使用して細長いシャフト５０２を骨６００内に遠位に更に打ち込むことも示している。
【００９２】
細長いシャフト５０２が骨６００内に遠位に打ち込まれるにしたがって、拡張器機構５１２が穴を拡げる。細長いシャフト５０２の遠位端５０２ｄが骨６００内に挿入される際、縫合糸６０６の終端部分６０６ａ、６０６ｂにかかる張力を維持することができる。拡張器機構５１２を備えた細長いシャフト５０２が骨６００内に打ち込まれることにより、図２０Ｃに示されるように、骨に穴６１２が形成され、ドライバシャフト５１６の遠位ドライバ部材５２０上に着脱可能に取り付けられた拡張器機構５１２と遠位ドライバ部材５２０の少なくとも一部が穴６１２内に位置付けられる。縫合糸アンカー５１０は骨６００の表面の上で骨穴６１２のすぐ近位に置くことができる。いくつかの実施形態では、縫合糸アンカー５１０は、骨６００の穴６１２内に部分的に位置付けられてもよい。
【００９３】
細長いシャフト５０２が所望の深さまで骨６００内に打ち込まれて穴６１２が形成された後、レバー５２５を遠位側スロット５２１ａから近位側スロット５２１ｂに移動させる（図２０Ｄに矢印６１３により示される）ことなどにより後退機構５０７を作動させることができ、これにより、やはり図２０Ｄに示されるように細長いシャフト５０２が後退する。図２０Ｅは、細長いシャフト５０２が後退構成にある、システム５００の遠位部分を示している。
【００９４】
細長いシャフト５０２が後退構成になった時点で、縫合糸アンカー５１０を拡張器機構５１２に向かって遠位に、かつ骨穴６１２内に打ち込むことができる。図の実施形態では、遠位ドライバ部材５２０が縫合糸アンカー５１０に着脱可能に連結されたドライバ５０４を作動させて縫合糸アンカー５１０を遠位に骨穴６１２内に打ち込む。図２０Ｆに示されるように、装置５０４のドライバシャフト５１６、ひいてはシャフト５１６の遠位ドライバ部材５２０を、例えば矢印６１５により示されるようにドライバ装置５０４の近位ハンドル５１４を回転させることなどによって回転させることができる。図の実施形態では、図２０Ｆに矢印６１７によって示されるように、ドライバ装置５０４のドライバシャフト５１６の回転の少なくともいくらかの間にプッシャチューブ５０１の近位ハンドル５０３に力を加えることができる。システム５００は、外科医が片手を使用してドライバ５０４を回転させ、プッシャチューブ５０１の近位ハンドル５０３に力を加えることの両方を行えるように構成され得る。これにより、縫合糸アンカー５１０に形成されたねじ５１１が骨６００内の穴６１２の内壁と係合するにつれて、縫合糸アンカー５１０が拡張器機構５１２に向かって遠位に、かつ骨６００内に回転可能に移動させられる。図２０Ｇは、拡張器機構５１２に向かって遠位に、かつ骨６００内に打ち込まれた縫合糸アンカー５１０を示している。縫合糸６０６は、骨穴６１２の内壁と縫合糸アンカー５１０の外側表面との間に固定されている。
【００９５】
縫合糸アンカー５１０が骨６００の穴６１２内に望みどおりに位置付けられた後、細長いシャフト５０２がその近位ハンドル５１６に連結されたドライバ５０４を、図２０Ｈに矢印６１９によって示されるように拡張器機構５１２及び縫合糸アンカー５１０から分離することができる。プッシャ装置５０１も取り除かれ得る。図２０Ｉに示されるように、拡張器機構５１２及び縫合糸アンカー５１０は骨穴６１２内に埋め込まれたままとなり、それにより、図１５Ｉに示されるように組織６０２を骨６００に付着させる。必要に応じて、縫合糸６０６の終端部分６０６ａ、６０６ｂを好適な切断器具を用いて切断してもよく、図２０Ｉは、例として切断された終端部分６０６ａ、６０６ｂを示している。
【００９６】
本明細書に述べられる方法及びシステムは異なる変形例を有することができる。例えば、各実施形態では、組織を骨に連結するために複数の縫合糸を使用することができる。また、外科手術前又は外科手術中に、１本又は２本以上の縫合糸が外科用システムに装填されてもよい。
【００９７】
本明細書に開示される装置は、１回の使用後に廃棄されるように設計され得るか、又は複数回使用されるように設計され得る。しかしながら、いずれの場合も、本装置は、少なくとも１回の使用後に再使用のために再調整することができる。再調整には、装置の分解工程、それに続く特定の部品の洗浄工程又は交換工程、及びその後の再組立工程の任意の組み合わせを含むことができる。特に、装置は分解することができ、装置の任意の数の特定の部分又は部品、例えばシャフトを、任意の組み合わせで選択的に交換又は取り除かれ得る。特定の部分を洗浄及び／又は交換した後、装置を後の使用のために、再調整施設で、又は外科処置の直前に外科チームによって再組立することができる。当業者であれば、装置の再調整が、分解、洗浄／交換、及び再組立のための様々な技術を利用できることを理解するであろう。かかる技術の使用、及び結果として得られる再調整された装置は、すべて本出願の範囲内にある。
【００９８】
好ましくは、本明細書に記載されたシステムの構成要素は、手術の前に処理される。最初に、新しい又は使用済みの器具を入手し、必要であれば洗浄する。次いで、器具を滅菌することができる。１つの滅菌技術では、器具は、プラスチックバッグ又はＴＹＶＥＫバッグなど、閉鎖され密封された容器に入れられる。次に、容器及び器具を、γ線、Ｘ線、及び高エネルギー電子など、容器を透過することができる放射線照射野に置く。放射線は、器具上又は容器内の細菌を死滅させる。この後、滅菌された器具を滅菌容器内で保管することができる。密封された容器は、医療設備において開封されるまで器具を滅菌状態に保つ。
【００９９】
各構成要素は滅菌されることが好ましい。これは、β線又はγ線放射、酸化エチレン、蒸気、及び液浴（例えば、低温浸漬）などの当業者には周知の様々な方法によって行うことができる。
【０１００】
当業者は、上述の実施形態に基づいて記述される主題の更なる特徴及び利点を認識するであろう。したがって、本開示は、添付の特許請求の範囲によって示される場合を除き、具体的に示され、かつ説明されている内容によって限定されるものではない。本明細書に引用されるすべての刊行物及び参照文献はそれらの全容を参照によって本明細書に明示的に援用するものである。
【０１０１】
〔実施の態様〕
（１）  外科用システムであって、
近位ハンドルと、前記近位ハンドルから延びるドライバシャフトとを有するドライバ装置であって、前記ドライバシャフトが、遠位ドライバ部材と、前記ドライバシャフトを通じて延びる管腔とを有する、ドライバ装置と、
中心シャフト部分と、遠位シャフト部分とを有する細長いシャフトであって、前記細長いシャフトは、遠位端及び前記中心シャフト部分の少なくとも一部が前記遠位ドライバ部材から遠位に延びるように前記ドライバ装置の前記管腔内に受容可能であり、前記中心シャフト部分が、前記中心シャフト部分の前記遠位端から前記中心シャフト部分を通じて延び、かつ前記中心シャフト部分の側面を通じて延びる開口部と連通する縫合糸保持機構を有する、細長いシャフトと、
前記縫合糸保持機構及び前記開口部を通じて延びる捕捉縫合糸であって、これにより、前記捕捉縫合糸の終端部分が前記ドライバ装置から延び、前記捕捉縫合糸が前記開口部を通じて延びるループを形成するようになる、捕捉縫合糸と、
雄ねじが上に形成された縫合糸アンカーであって、前記遠位ドライバ部材上に取り外し可能に取り付け可能である、縫合糸アンカーと、
前記縫合糸アンカーの遠位に配設され、かつ前記遠位シャフト部分が内部を通じて少なくとも部分的に延びる拡張器機構であって、これにより、前記細長いシャフトの遠位端が前記拡張器機構から遠位に延びるようになる、拡張器機構と、を備える、外科用システム。
（２）  前記ループが、前記ループを通じて少なくとも１本の保持縫合糸を受容するように構成されており、前記保持縫合糸が内部を通じて受容された前記ループが、前記捕捉縫合糸の前記終端部分を引っ張ることによって締め付けられるように構成されており、それにより前記保持縫合糸を前記縫合糸アンカーと連結する、実施態様１に記載のシステム。
（３）  前記捕捉縫合糸の前記終端部分が、前記ドライバ装置の近位端から延びる、実施態様１に記載のシステム。
（４）  前記捕捉縫合糸の前記終端部分が、前記ドライバ装置の近位端から延びる、実施態様１に記載のシステム。
（５）  前記縫合糸保持機構が溝を備える、実施態様１に記載のシステム。
【０１０２】
（６）  前記遠位ドライバ部材が、前記縫合糸アンカーの対応する雌機構内に受容されるように構成された雄機構である、実施態様１に記載のシステム。
（７）  前記中心シャフト部分が前記遠位シャフト部分の外径よりも大きい外径を有する、実施態様１に記載のシステム。
（８）  前記拡張器機構が非金属材料で作製されている、実施態様１に記載のシステム。
（９）  前記中心シャフト部分の近位端に配設されるように構成されており、かつ前記捕捉縫合糸の前記終端部分と係合するように構成された少なくとも１つの保持機構を有する近位端機構を更に備える、実施態様１に記載のシステム。
（１０）  前記少なくとも１つの保持機構が、前記捕捉縫合糸の前記終端部分と係合して、前記捕捉縫合糸に張力をかけるように構成されている、実施態様９に記載のシステム。
【０１０３】
（１１）  外科的修復を行う方法であって、
細長いシャフトの遠位端を骨内に挿入することであって、前記シャフトが、埋め込み型拡張器機構と、前記拡張器機構の近位に位置付けられた、縫合糸アンカーが着脱可能に連結されたドライバ装置の遠位ドライバ部材とを通じて延び、前記細長いシャフトが、前記細長いシャフトを通じて形成された縫合糸保持機構を通じて延び、かつ前記細長いシャフトの側面を通じて延びる開口部で出る捕捉縫合糸を有し、これにより、前記捕捉縫合糸が前記開口部を通じて延びるループを形成するようになる、挿入することと、
組織に連結された保持縫合糸を前記ループに通すことと、
前記ループが前記保持縫合糸を前記細長いシャフトの側壁に対して保持するように、前記捕捉縫合糸の前記終端部分に張力を加えることによって前記保持縫合糸が内部に通された前記ループを閉じることと、
前記縫合糸アンカーを前記拡張器機構に向かって遠位に、かつ前記骨内に打ち込み、それにより、前記保持縫合糸を前記骨と前記縫合糸アンカーの外側表面との間に固定することと、を含む、方法。
（１２）  前記捕捉縫合糸は、前記捕捉縫合糸の終端部分が前記細長いシャフトの近位端に隣接するように前記ループを形成する、実施態様１１に記載の方法。
（１３）  前記細長いシャフトの前記遠位端を前記骨内に挿入する前に、前記ループを閉じることを更に含む、実施態様１１に記載の方法。
（１４）  前記細長いシャフトの前記遠位端が前記骨内に挿入されている間に、前記捕捉縫合糸の前記終端部分に張力をかけることを更に含む、実施態様１３に記載の方法。
（１５）  前記縫合糸アンカーが前記骨内に打ち込まれた後に、前記捕捉縫合糸を取り除くことを更に含む、実施態様１１に記載の方法。
【０１０４】
（１６）  前記縫合糸アンカーに取り外し可能に連結されたドライバ装置を使用して、前記縫合糸アンカーを前記拡張器機構に向かって遠位に、かつ前記骨内に打ち込むことを更に含む、実施態様１１に記載の方法。
（１７）  外科用システムであって、
細長いシャフトであって、
中心シャフト部分であって、前記中心シャフト部分の遠位肩部の近位に、前記中心シャフト部分を通じて延びる縫合糸保持機構を有し、前記縫合糸保持機構が、前記中心シャフト部分の前記遠位肩部の近位の前記中心シャフト部分の側面を通じて延びる開口部と連通する、中心シャフト部分と、
前記中心シャフト部分の前記遠位肩部から前記細長いシャフトの遠位端まで延びる遠位シャフト部分と、を有する、細長いシャフトと、
前記中心シャフト部分の前記縫合糸保持機構及び前記開口部を通じて延びる捕捉縫合糸であって、これにより、前記捕捉縫合糸の終端部分がドライバ装置の近位端から延び、前記捕捉縫合糸が前記開口部を通じて延びるループを形成するようになる、捕捉縫合糸と、
前記細長いシャフトが内部を通じて延びるドライバ装置の遠位ドライバ部材上に取り外し可能に配設された縫合糸アンカーと、
前記縫合糸アンカーの遠位の前記遠位シャフト部分上に取り外し可能に配設された埋め込み型拡張器機構であって、これにより、前記細長いシャフトの前記遠位端が前記拡張器機構の遠位端から遠位に延びるようになる、埋め込み型拡張器機構と、を備える、外科用システム。
（１８）  前記拡張器機構が切頭円錐の形状を有する、実施態様１７に記載の外科用システム。
（１９）  前記中心シャフト部分が前記遠位シャフト部分の外径よりも大きい外径を有する、実施態様１７に記載の外科用システム。
【図１】
2018149292.tif 000003
【図２】
2018149292.tif 000004
【図３】
2018149292.tif 000005
【図４】
2018149292.tif 000006
【図５】
2018149292.tif 000007
【図６】
2018149292.tif 000008
【図７】
2018149292.tif 000009
【図８Ａ】
2018149292.tif 000010
【図８Ｂ】
2018149292.tif 000011
【図８Ｃ】
2018149292.tif 000012
【図８Ｄ】
2018149292.tif 000013
【図８Ｅ】
2018149292.tif 000014
【図８Ｆ】
2018149292.tif 000015
【図８Ｇ】
2018149292.tif 000016
【図８Ｈ】
2018149292.tif 000017
【図９Ａ】
2018149292.tif 000018
【図９Ｂ】
2018149292.tif 000019
【図１０】
2018149292.tif 000020
【図１１】
2018149292.tif 000021
【図１２】
2018149292.tif 000022
【図１３】
2018149292.tif 000023
【図１４】
2018149292.tif 000024
【図１５Ａ】
2018149292.tif 000025
【図１５Ｂ】
2018149292.tif 000026
【図１５Ｃ】
2018149292.tif 000027
【図１５Ｄ】
2018149292.tif 000028
【図１５Ｅ】
2018149292.tif 000029
【図１５Ｆ】
2018149292.tif 000030
【図１５Ｇ】
2018149292.tif 000031
【図１５Ｈ】
2018149292.tif 000032
【図１５Ｉ】
2018149292.tif 000033
【図１６】
2018149292.tif 000034
【図１７Ａ】
2018149292.tif 000035
【図１７Ｂ】
2018149292.tif 000036
【図１８Ａ】
2018149292.tif 000037
【図１８Ｂ】
2018149292.tif 000038
【図１９】
2018149292.tif 000039
【図２０Ａ】
2018149292.tif 000040
【図２０Ｂ】
2018149292.tif 000041
【図２０Ｃ】
2018149292.tif 000042
【図２０Ｄ】
2018149292.tif 000043
【図２０Ｅ】
2018149292.tif 000044
【図２０Ｆ】
2018149292.tif 000045
【図２０Ｇ】
2018149292.tif 000046
【図２０Ｈ】
2018149292.tif 000047
【図２０Ｉ】
2018149292.tif 000048
【外国語明細書】
2018149292000001.pdf